(57)【特許請求の範囲】
【請求項１】
第１の画像形成装置とは異なる画像形成速度で画像形成が可能な第２の画像形成装置であって、
表面に潜像が形成される像保持体と、
前記第１の画像形成装置の画像形成速度に対応した前記像保持体の単位時間当りの磨耗量である予め設定された膜減り係数と、前記第１の画像形成装置において前記像保持体の回転時間と前記膜減り係数と前記像保持体の膜厚の初期値である残膜厚の演算初期値とに基づいて演算された残膜厚情報と、を記憶する記憶部材とを有し、前記第１の画像形成装置および第２の画像形成装置に着脱可能な像保持体ユニットと、
前記像保持体の回転時間を計測する回転時間計測手段と、
前記第１の画像形成装置の画像形成速度に対する前記第２の画像形成装置の画像形成速度に応じて変動する前記像保持体の膜減りの速度に応じて予め設定された補正係数であって、前記膜減り係数を補正する補正係数を記憶する補正係数記憶手段と、
前記像保持体の回転時間と、前記膜減り係数と、前記補正係数と、前記残膜厚の情報に基づいて、前記像保持体の現在の残膜厚を演算する残膜厚演算手段と、
前記像保持体の寿命判別情報と、前記残膜厚演算手段で演算された残膜厚とに基づいて、前記像保持体の寿命であるか否かを判別する寿命判別手段と、
前記像保持体が寿命であると判別された場合に、前記像保持体が寿命であることを告知する告知手段と、
を備えたことを特徴とする前記第２の画像形成装置。
【請求項２】
前記像保持体を帯電させる帯電器と、
前記画像形成動作中に前記帯電器に印加される帯電電圧の変化に応じて変動する前記単位時間当りの磨耗量に対応して設定された複数の前記膜減り係数を記憶する前記記憶部材、
を備えたことを特徴とする請求項１に記載の第２の画像形成装置。
【請求項３】
前記寿命判別情報を記憶する前記記憶部材を有する前記像保持体ユニットと、
前記第１の画像形成装置における前記像保持体の寿命判別情報とは異なる第２の画像形成装置用寿命判別情報を記憶する寿命判別情報記憶手段と、
前記像保持体ユニットが第２の画像形成装置に装着された場合に、寿命判別情報を前記記憶部材に書き込む寿命判別情報書込手段と、
を備えたことを特徴とする請求項１または２に記載の第２の画像形成装置。
【請求項４】
前記寿命判別情報よりも前記像保持体の初期の残膜厚値に近い値に予め設定された寿命接近判別情報と、前記残膜厚演算手段で演算された残膜厚とに基づいて、前記像保持体の寿命が近づいているか否かを判別する寿命接近判別手段、
を備えたことを特徴とする請求項１ないし３のいずれかに記載の第２の画像形成装置。
【発明の詳細な説明】
【技術分野】
【０００１】
本発明は、像保持体や帯電ロールを有する寿命検知が可能なプロセスユニットを着脱可能な第１の画像形成装置と同一のプロセスユニットを着脱可能な第２の画像形成装置に関する。
【背景技術】
【０００２】
従来、電子写真方式の複写機やプリンタ等の画像形成装置では、像保持体表面を帯電ロールで帯電させ、帯電した表面に潜像を形成し、現像装置から供給される現像剤により潜像を可視像化して画像形成を行っている。前記像保持体や帯電ロール、現像装置等は、使用に伴って経時的に損耗するため、交換、修理を容易とするために、交換可能なユニット構造とされていることが多い。
前記ユニット（プロセスユニット）の交換時期は、プロセスユニット内で最も寿命が短い像保持体の寿命を検知することで決定することが多い。像保持体は、磨耗により表面膜厚の減衰が進行して寿命に至るが、その磨耗量は、帯電ロールの印加バイアスの条件や、プロセスユニットのプロセススピード等、像保持体表面への負荷のかかり方によって変化する。
また、帯電ロールに像保持体表面に接触して帯電を行う帯電ロールを使用する場合には、像保持体表面から離れて帯電を行うコロトロン式のものを使用する場合と比較すると、磨耗が促進されて、像保持体の寿命が短くなることが知られている。
【０００３】
したがって、プロセスユニットを無駄なく且つ、トラブルが発生すること無く交換するためには、前記像保持体表面の磨耗量の変化に対応しながら、像担持体寿命を精度良く検知することが重要になる。
像担持体寿命を精度良く検知する技術として、下記の特許文献１〜４記載の技術が知られている。
【０００４】
前記特許文献１（特許第３２８５７８５号明細書）には、プリンタに着脱可能なドラムユニット（プロセスカートリッジ）（２９）において、帯電ローラ（２）と、感光体（１）と、記憶素子（３０）とを有し、帯電ローラ（２）により感光体（１）表面に付与される印加バイアス条件と、印加バイアス条件でバイアスが印加された時間からドラムユニット（２９）のダメージを算出し、ドラムユニット（２９）の寿命検知を行う技術が記載されている。
特許文献１では、帯電ローラ（２）から感光体（１）表面に印加される帯電印加バイアス条件として、画像形成動作毎に、ＡＣ電圧、ＤＣ電圧、電圧オフがあり、ＡＣ電圧印加時間ｔ１、ＤＣ電圧印加時間ｔ２、帯電バイアスオフ時間ｔ３を検出する。そして、検出された各時間ｔ１〜ｔ３に、各条件での感光体（１）ダメージに応じた係数をかけて積算し、画像形成動作毎のダメージ指数Ｄとして算出する。次に、算出された各画像形成動作時のダメージ指数Ｄを、記憶素子（３０）に記憶されている感光体（１）のダメージの総量としてのダメージ積算値Ｓに加算し、前記ダメージ積算値Ｓを更新する。そして、各画像形成動作後には、前記更新したダメージ積算値Ｓと、予め記憶素子（３０）に記憶された寿命基準値としての寿命情報Ｒとの大小関係を比較し、ダメージ積算値Ｓが寿命情報Ｒよりも上回った場合には、ドラムユニット（２９）が寿命に達したことを表示部（２８）に表示してユーザに警告を行う。
【０００５】
特許文献２（特開２００１−３５６６５５号公報）には、以下に示す点を除き、前記特許文献１と同様の構成を有する技術が記載されている。特許文献２では、現像ローラ（１１）が感光体（１）に離接可能に形成され、現像ローラ（１１）が画像形成時に感光体（１）に対し接触状態にある現像ローラ接触時間ｔｄを検出する。ダメージ指数Ｄを算出する際には、帯電印加バイアス条件ｔ１〜ｔ３に前記現像ローラ接触時間ｔｄを加え、各条件での感光体（１）ダメージに応じた係数をかけて積算する。
【０００６】
特許文献３（特開２００２−２１４９８３号公報）には、以下に示す点を除き、前記特許文献２と同様の構成を有する技術が記載されている。特許文献３では、プリンタ（１００）は、プロセススピードの切り換えモードを有しており、複数種のプロセススピードにより画像形成動作を行う。ダメージ指数Ｄを算出する際には、特許文献２で使用された帯電印加バイアス条件ｔ１，ｔ２，ｔ３および現像ローラ接触時間ｔｄと、プロセススピードＶｊ（ｊ≧２）に応じて設定されたダメージに応じた係数と、を乗算することで、プロセススピードの違いに応じたダメージ指数Ｄを積算する。
【０００７】
特許文献４（特開２００６−８４８２８号公報）には、写真モードと文字モード等複数の画像形成モードを有し、前記画像形成モードに応じてＡＣバイアスとＤＣバイアス等の帯電バイアス方式が切り替わる画像形成装置（１）に関する技術が記載されている。特許文献４では、各画像形成動作において、画像形成モードが写真モードと文字モードのいずれのモードであるかを判定し、判定されたモードに応じた帯電バイアス電圧の印加時間を前回画像形成動作までの積算時間に加えて、メモリタグ（２２）に搭載された不揮発メモリに記憶する。その後、前記積算時間を寿命判定の基準値と比較して、感光体（２ｂ）の寿命を判定し、前記積算時間が寿命判定の基準値を上回っていた場合には、プロセスカートリッジ（２）の交換の警告や、画像形成動作の停止を行う。
【０００８】
【特許文献１】特許第３２８５７８５号明細書（「００５２」〜「００６２」、図４）
【特許文献２】特開２００１−３５６６５５号公報（「００７０」、「００８１」）
【特許文献３】特開２００２−２１４９８３号公報（「００６２」、「００８４」、「００９２」）
【特許文献４】特開２００６−８４８２８号公報（要約書）
【発明の開示】
【発明が解決しようとする課題】
【０００９】
異なる機種の画像形成装置において共通のプロセスカートリッジを使用しつつ寿命を正確に判定することを技術的課題とする。
【課題を解決するための手段】
【００１０】
前記技術的課題を解決するために、請求項１記載の発明の第１の画像形成装置とは異なる画像形成速度で画像形成が可能な第２の画像形成装置は、
表面に潜像が形成される像保持体と、
前記第１の画像形成装置の画像形成速度に対応した前記像保持体の単位時間当りの磨耗量である予め設定された膜減り係数と、前記第１の画像形成装置において前記像保持体の回転時間と前記膜減り係数と前記像保持体の膜厚の初期値である残膜厚の演算初期値とに基づいて演算された残膜厚情報と、を記憶する記憶部材とを有し、前記第１の画像形成装置および第２の画像形成装置に着脱可能な像保持体ユニットと、
前記像保持体の回転時間を計測する回転時間計測手段と、
前記第１の画像形成装置の画像形成速度に対する前記第２の画像形成装置の画像形成速度に応じて変動する前記像保持体の膜減りの速度に応じて予め設定された補正係数であって、前記膜減り係数を補正する補正係数を記憶する補正係数記憶手段と、
前記像保持体の回転時間と、前記膜減り係数と、前記補正係数と、前記残膜厚の情報に基づいて、前記像保持体の現在の残膜厚を演算する残膜厚演算手段と、
前記像保持体の寿命判別情報と、前記残膜厚演算手段で演算された残膜厚とに基づいて、前記像保持体の寿命であるか否かを判別する寿命判別手段と、
前記像保持体が寿命であると判別された場合に、前記像保持体が寿命であることを告知する告知手段と、
を備えたことを特徴とする。
【００１１】
請求項２に記載の発明は、請求項１記載の発明の第２の画像形成装置において、
前記像保持体を帯電させる帯電器と、
前記画像形成動作中に前記帯電器に印加される帯電電圧の変化に応じて変動する前記単位時間当りの磨耗量に対応して設定された複数の前記膜減り係数を記憶する前記記憶部材、
を備えたことを特徴とする。
【００１２】
請求項３に記載の発明は、請求項１または２に記載の第２の画像形成装置において、
前記寿命判別情報を記憶する前記記憶部材を有する前記像保持体ユニットと、
前記第１の画像形成装置における前記像保持体の寿命判別情報とは異なる第２の画像形成装置用寿命判別情報を記憶する寿命判別情報記憶手段と、
前記像保持体ユニットが第２の画像形成装置に装着された場合に、寿命判別情報を前記記憶部材に書き込む寿命判別情報書込手段と、
を備えたことを特徴とする。
【００１３】
請求項４に記載の発明は、請求項１ないし３のいずれかに記載の第２の画像形成装置において、
前記寿命判別情報よりも前記像保持体の初期の残膜厚値に近い値に予め設定された寿命接近判別情報と、前記残膜厚演算手段で演算された残膜厚とに基づいて、前記像保持体の寿命が近づいているか否かを判別する寿命接近判別手段、
を備えたことを特徴とする。
【発明の効果】
【００１４】
請求項１に記載の発明によれば、第２の画像形成装置には、第１の画像形成装置と同一の像保持体ユニットを装着して使用することができるとともに、像保持体の寿命を精度良く判定して像保持体ユニットの交換時期をユーザに報知することができる。さらに、第２の画像形成装置では、画像形成速度の変更に対応して像保持体の寿命を精度良く判定することができ、像保持体ユニットの交換時期をユーザに報知することができる。
請求項２に記載の発明によれば、帯電器に印加される帯電電圧の変化に応じて適切な膜減り係数を使用して像保持体の現在の残膜厚演算が行え、像保持体の寿命を精度良く判定することができる。
【００１５】
請求項３に記載の発明によれば、第２の画像形成装置に記憶された第２の画像形成装置の寿命判別情報を像保持体ユニットの記憶部材に書き込むことができ、他の画像形成装置でも使用可能な像保持体に対して、第２の画像形成装置における寿命を精度良く判定することができる。
請求項４に記載の発明によれば、第２の画像形成装置の像保持体ユニットの交換時期が近づいていることを、事前にユーザに報知することができる。
【発明を実施するための最良の形態】
【００１６】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００１７】
図１は本発明の実施例１の画像形成装置の全体説明図である。
本実施例１において、第１機種の画像形成装置（第１の画像形成装置）Ｕの説明および、前記第１機種の画像形成装置Ｕに装着される像保持体ユニットが装着可能な第２機種の画像形成装置（第２の画像形成装置）Ｕ′の説明を行う。第１機種の画像形成装置Ｕと第２機種の画像形成装置Ｕ′は、同様の構成を有している。しかし、第１機種の画像形成装置Ｕが３５ｐｐｍ（ｐｐｍ：単位時間あたりの排紙面数）のみの画像形成速度（プロセススピード）で画像形成動作を行う機種であるのに対し、第２機種の画像形成装置Ｕ′は、用紙厚さ等の紙種の違いに応じてプロセススピードが第１プロセススピード３５ｐｐｍと第２プロセススピード２５ｐｐｍとの間でプロセススピードが変更される機種であるというように、機種間の差異を有している。したがって、以下の実施例１の説明において、主として第１機種についての説明を行い、第２機種については、第１機種と異なる部分の説明についてのみ詳細な説明を行い、同様の構成および同様の制御部の詳細な説明は省略する。
【００１８】
図１において、第１機種の画像形成装置Ｕは、操作部の一例としてのユーザインタフェースＵＩ、画像情報入力装置の一例としてのイメージ入力装置Ｕ１、給紙装置Ｕ２、画像形成装置本体Ｕ３、および用紙処理装置Ｕ４を有している。
【００１９】
前記ユーザインタフェースＵＩは、コピースタートキー、コピー枚数設定キー、テンキー等の入力キーおよび表示器ＵＩ1を有している。
前記イメージ入力装置Ｕ１は、自動原稿搬送装置および画像読取装置の一例としてのイメージスキャナ等により構成されている。図１において、イメージ入力装置Ｕ１では、図示しない原稿を読取って画像情報に変換し、画像形成装置本体Ｕ３に入力する。
給紙装置Ｕ２は複数の給紙部の一例としての給紙トレイＴＲ１〜ＴＲ４、前記各給紙トレイＴＲ１〜ＴＲ４に収容された媒体の一例としての記録用紙Ｓを取り出して画像形成装置本体Ｕ３に搬送する給紙路ＳＨ１等を有している。
【００２０】
図１において、画像形成装置本体Ｕ３は、前記給紙装置Ｕ２から搬送された記録用紙Ｓに画像記録を行う画像記録部、トナーディスペンサー装置Ｕ３ａ、および用紙搬送路ＳＨ２、用紙排出路ＳＨ３、用紙反転路ＳＨ４、用紙循環路ＳＨ６等を有している。なお、前記画像記録部については後述する。
また、画像形成装置本体Ｕ３は、制御部Ｃおよび前記制御部Ｃにより制御される潜像書込装置駆動回路の一例としてのレーザ駆動回路ＤＬ、前記制御部Ｃにより制御される電源回路Ｅ等を有している。制御部Ｃにより作動を制御されるレーザ駆動回路ＤＬは、前記イメージ入力装置Ｕ１から入力されたＹ（イエロー）、Ｍ（マゼンタ）、Ｃ（シアン）、Ｋ（黒）の画像情報に応じたレーザ駆動信号を所定のタイミングで、各色の潜像形成装置ＲＯＳy，ＲＯＳm，ＲＯＳc，ＲＯＳkに出力する。
前記各色の潜像形成装置ＲＯＳy，ＲＯＳm，ＲＯＳc，ＲＯＳkの下方には、像形成ユニット用引出部材Ｕ３ｂが左右一対の案内部材Ｒ１，Ｒ１により、画像形成装置本体Ｕ３の前方に引き出された引出位置と画像形成装置本体Ｕ３内部に装着された装着位置との間で移動可能に支持されている。
【００２１】
図２は像保持体ユニットおよび現像器を有する可視像形成装置の説明図である。
図１、図２において、黒の像保持体ユニットＵＫは、像保持体の一例としての感光体ドラムＰｋ、前記感光体ドラムＰｋに接触して従動する帯電器としての帯電ロールＣＲk、および像保持体用清掃器の一例としてのクリーナ（清掃器）ＣＬｋ及び現像ロールＲ０を有する現像器Ｇｋを有している。そして、他の色（Ｙ，Ｍ，Ｃ）の像保持体ユニットＵＹ，ＵＭ，ＵＣも、感光体ドラムＰｙ，Ｐｍ，Ｐｃ、放電器の一例としての帯電ロールＣＲy，ＣＲm，ＣＲc、クリーナＣＬｙ，ＣＬｍ，ＣＬｃ、現像器ＧＹ，ＧＭ，ＧＣを有している。なお、実施例１では、使用頻度の高く表面の磨耗が多いＫ色の感光体ドラムＰｋは、他の色の感光体ドラムＰｙ，Ｐｍ，Ｐｃに比べて大径に構成され、高速回転対応および長寿命化がされている。
【００２２】
図１、図２において、黒の像保持体ユニットＵＫは、像保持体の一例としての感光体ドラムＰｋ、前記感光体ドラムＰｋに当接して従動する帯電ロールＣＲk、および像保持体用清掃器の一例としてのクリーナ（清掃器）ＣＬｋを有している。そして、他の色（Ｙ，Ｍ，Ｃ）の像保持体ユニットＵＹ，ＵＭ，ＵＣも、感光体ドラムＰｙ，Ｐｍ，Ｐｃ、帯電器ＣＲy，ＣＲm，ＣＲc、クリーナＣＬｙ，ＣＬｍ，ＣＬｃを有している。なお、実施例１では、使用頻度の高く表面の磨耗が多いＫ色の感光体ドラムＰｋは、他の色の感光体ドラムＰｙ，Ｐｍ，Ｐｃに比べて大径に構成され、高速回転対応および長寿命化がされている。
【００２３】
また、像保持体ユニットＵＹ，ＵＭ，ＵＣ，ＵＫには、不揮発性メモリーにより構成された寿命検知情報記憶手段（記憶部材）Ｍｙ，Ｍｍ，Ｍｃ，Ｍｋが装備されている。像保持体ユニットＵＹ，ＵＭ，ＵＣ，ＵＫが画像形成装置Ｕに装着される際には、図示しない接続端子により画像形成装置本体Ｕ３内の制御部Ｃと通信可能に接続される。実施例１では、前記寿命検知情報記憶手段Ｍｙ，Ｍｍ，Ｍｃ，Ｍｋには、印加される帯電バイアスに応じて単位時間当たりに感光体ドラムＰＲの膜が減少する量である像保持体表面の膜減り係数Ｋ１ｙ〜Ｋ１ｋ、Ｋ２ｙ〜Ｋ２ｋ、Ｋ３ｙ〜Ｋ３ｋと、像保持体の寿命であるか否かを判別するための閾値としての寿命時の残膜厚値ｄｙ，ｄｍ，ｄｃ，ｄｋ等のデータが保存されており、制御部Ｃからの前記データの読み出しや、更新が可能である。なお、寿命検知情報記憶手段Ｍｙ，Ｍｍ，Ｍｃ，Ｍｋに記憶されている前記各データに関する詳細な説明は、後述する。
【００２４】
前記各像保持体ユニットＵＹ，ＵＭ，ＵＣ，ＵＫと現像ロールＲ０（図２参照）を有する現像器ＧＹ，ＧＭ，ＧＣ，ＧＫとによりトナー像形成部材（ＵＹ＋ＧＹ），（ＵＭ＋ＧＭ），（ＵＣ＋ＧＣ），（ＵＫ＋ＧＫ）が構成されている。前記像形成ユニット用引出部材Ｕ３ｂ（図１参照）には、前記像保持体ユニットＵＹ，ＵＭ，ＵＣ，ＵＫおよび現像器ＧＹ，ＧＭ，ＧＣ，ＧＫが着脱可能に装着される。また、画像形成装置本体Ｕ３内部には、各像保持体ユニットＵＹ，ＵＭ，ＵＣ，ＵＫの装着を検知する像保持体ユニット装着検知センサＳＮｙ〜ＳＮｋが配置されている。
【００２５】
図１において、感光体ドラムＰｙ，Ｐｍ，Ｐｃ，Ｐｋは、それぞれ帯電ロールＣＲy，ＣＲm，ＣＲc，ＣＲkにより帯電された後、前記潜像形成装置ＲＯＳy，ＲＯＳm，ＲＯＳc，ＲＯＳkの出力する潜像書込光の一例としてのレーザ光Ｌｙ，Ｌｍ，Ｌｃ，Ｌｋによりその表面に静電潜像が形成される。前記感光体ドラムＰｙ，Ｐｍ，Ｐｃ，Ｐｋ表面の静電潜像は、現像器ＧＹ，ＧＭ，ＧＣ，ＧＫによりＹ（イエロー）、Ｍ（マゼンタ）、Ｃ（シアン）、Ｋ（黒）の色のトナー像に現像される。
【００２６】
感光体ドラムＰｙ，Ｐｍ，Ｐｃ，Ｐｋ表面上のトナー像は、一次転写器の一例としての１次転写ロールＴ１y，Ｔ１m，Ｔ１c，Ｔ１kにより、中間転写体の一例としての中間転写ベルトＢ上に順次重ねて転写され、中間転写ベルトＢ上に多色画像、いわゆる、カラー画像が形成される。中間転写ベルトＢ上に形成されたカラー画像は、２次転写領域（画像記録位置）Ｑ４に搬送される。
なお、黒画像データのみの場合はＫ（黒）の感光体ドラムＰｋおよび現像器ＧＫのみが使用され、黒のトナー像のみが形成される。
１次転写後、感光体ドラムＰｙ，Ｐｍ，Ｐｃ，Ｐｋ表面の残留トナーは感光体ドラム用のクリーナＣＬｙ，ＣＬｍ，ＣＬｃ，ＣＬｋによりクリーニングされる。
【００２７】
前記像形成ユニット用引出部材Ｕ３ｂの下方には、中間転写体用引出部材Ｕ３ｃが画像形成装置本体Ｕ３の前方に引き出された引出位置と画像形成装置本体Ｕ３内部に装着された装着位置との間で移動可能に支持されている。前記中間転写体用引出部材Ｕ３ｃにより、中間転写装置の一例としてのベルトモジュールＢＭが、前記感光体ドラムＰｙ，Ｐｍ，Ｐｃ，Ｐｋの下面に接触する上昇位置と前記下面から下方に離れた下降位置との間で昇降可能に支持されている。
前記ベルトモジュールＢＭは、前記中間転写ベルトＢと、中間転写体支持部材の一例としてのベルト支持ロール（Ｒｄ，Ｒｔ，Ｒｗ，Ｒｆ，Ｔ２a）と、前記１次転写ロールＴ１y，Ｔ１m，Ｔ１c，Ｔ１kとを有している。ベルト支持ロール（Ｒｄ，Ｒｔ，Ｒｗ，Ｒｆ，Ｔ２a）は、中間転写体駆動部材の一例としてのベルト駆動ロールＲｄ、張力付与部材の一例としてのテンションロールＲｔ、蛇行防止部材の一例としてのウォーキングロールＲｗ、従動部材の一例としての複数のアイドラロールＲｆおよび二次転写対向部材の一例としてのバックアップロールＴ２aを有する。そして、前記中間転写ベルトＢは前記ベルト支持ロール（Ｒｄ，Ｒｔ，Ｒｗ，Ｒｆ，Ｔ２a）により矢印Ｙａ方向に回転移動可能に支持されている。
【００２８】
前記バックアップロールＴ２aの下方には２次転写ユニットＵｔが配置されている。２次転写ユニットＵｔの二次転写部材の一例としての２次転写ロールＴ２ｂは、前記中間転写ベルトＢを挟んでバックアップロールＴ２aに離隔および接触可能に配置されており、前記２次転写ロールＴ２ｂが中間転写ベルトＢと圧接する領域により２次転写領域Ｑ４が形成されている。また、前記バックアップロールＴ２aには電圧印加用接触部材の一例としてのコンタクトロールＴ２cが当接しており、前記ロールＴ２a〜Ｔ２cにより２次転写器Ｔ２が構成されている。
前記コンタクトロールＴ２cには制御部Ｃにより制御される電源回路から所定のタイミングでトナーの帯電極性と同極性の２次転写電圧が印加される。
【００２９】
前記ベルトモジュールＢＭ下方には用紙搬送路ＳＨ２が配置されている。前記給紙装置Ｕ２の給紙路ＳＨ１から給紙された記録用紙Ｓは、前記用紙搬送路ＳＨ２に搬送され、給紙時期調節部材の一例としてのレジロールＲｒにより、トナー像が２次転写領域Ｑ４に搬送されるのに時期を合わせて、媒体案内部材ＳＧr、転写前媒体案内部材ＳＧ１を通って２次転写領域Ｑ４に搬送される。
なお、媒体案内部材ＳＧrはレジロールＲｒとともに、画像形成装置本体Ｕ３に固定されている。
前記中間転写ベルトＢ上のトナー像は、前記２次転写領域Ｑ４を通過する際に前記２次転写器Ｔ２により前記記録用紙Ｓに転写される。なお、フルカラー画像の場合は中間転写ベルトＢ表面に重ねて１次転写されたトナー像が一括して記録用紙Ｓに２次転写される。
【００３０】
２次転写後の前記中間転写ベルトＢは、中間転写体清掃器の一例としてのベルトクリーナＣＬBにより清掃、すなわち、クリーニングされる。なお、前記２次転写ロールＴ２ｂおよびベルトクリーナＣＬBは、中間転写ベルトＢと離隔および接触可能に支持されている。
前記１次転写ロールＴ１y，Ｔ１m，Ｔ１c，Ｔ１k、中間転写ベルトＢ、二次転写器Ｔ２、ベルトクリーナＣＬB等により、感光体ドラムＰｙ〜Ｐｋ表面の画像を記録用紙Ｓに転写する転写装置（Ｔ１＋Ｂ＋Ｔ２＋ＣＬB）が構成されている。
【００３１】
トナー像が２次転写された前記記録用紙Ｓは、転写後媒体案内部材ＳＧ2、定着前媒体搬送部材の一例としての用紙搬送ベルトＢＨを通って定着装置Ｆに搬送される。前記定着装置Ｆは、加熱定着部材の一例としての加熱ロールＦｈと、加圧定着部材の一例としての加圧ロールＦｐとを有し、加熱ロールＦｈと加圧ロールＦｐとが圧接する領域により定着領域Ｑ５が形成されている。
前記記録用紙Ｓ上のトナー像は定着領域Ｑ５を通過する際に定着装置Ｆにより加熱定着される。前記定着装置Ｆの下流側には搬送路切替部材ＧＴ１が設けられている。前記搬送路切替部材ＧＴ１は用紙搬送路ＳＨ２を搬送されて定着領域Ｑ５で加熱定着された記録用紙Ｓを、用紙処理装置Ｕ４の用紙排出路ＳＨ３または用紙反転路ＳＨ４側のいずれかに選択的に切り替える。前記用紙排出路ＳＨ３に搬送された用紙Ｓは、用紙処理装置Ｕ４の用紙搬送路ＳＨ５に搬送される。
【００３２】
用紙搬送路ＳＨ５の途中には、カール補正装置Ｕ４ａが配置されており、前記用紙搬送路ＳＨ５には搬送路切替部材の一例としての切替ゲートＧ４が配置されている。前記切替ゲートＧ４は、前記画像形成装置本体Ｕ３の用紙搬送路ＳＨ３から搬送された記録用紙Ｓを、湾曲、いわゆる、カールの方向に応じて、第１カール補正部材ｈｏ１または第２カール補正部材ｈｏ２のいずれかの側に搬送する。前記第１カール補正部材ｈｏ１または第２カール補正部材ｈｏ２に搬送された記録用紙Ｓは、通過時にカールが補正される。カールが補正された記録用紙Ｓは、排出部材の一例としての排出ロールＲｈから用紙処理装置Ｕ４の排出部の一例としての排出トレイＴＨ１に用紙の画像定着面が上向きの状態、いわゆる、フェイスアップ状態で排出される。
【００３３】
前記搬送路切替部材ＧＴ１により画像形成装置本体Ｕ３の前記用紙反転路ＳＨ４側に搬送された用紙Ｓは、弾性薄膜状部材により構成された搬送方向規制部材、いわゆる、マイラーゲートＧＴ２を押しのける形で通過して、画像形成装置本体Ｕ３の前記用紙反転路ＳＨ４に搬送される。
前記画像形成装置本体Ｕ３の用紙反転路ＳＨ４の下流端には、用紙循環路ＳＨ６および用紙反転路ＳＨ７が接続されており、その接続部にもマイラーゲートＧＴ３が配置されている。前記切替ゲートＧＴ１を通って用紙搬送路ＳＨ４に搬送された用紙は、前記マイラーゲートＧＴ３を通過して前記用紙処理装置Ｕ４の用紙反転路ＳＨ７側に搬送される。両面印刷を行う場合には、用紙反転路ＳＨ４を搬送されてきた記録用紙Ｓは、前記マイラーゲートＧＴ３をそのまま一旦通過して、用紙反転路ＳＨ７に搬送された後、逆方向に搬送、いわゆる、スイッチバックさせられると、マイラーゲートＧＴ３により搬送方向が規制され、スイッチバックした記録用紙Ｓが用紙循環路ＳＨ６側に搬送される。前記用紙循環路ＳＨ６に搬送された記録用紙Ｓは前記給紙路ＳＨ２を通って前記転写領域Ｑ４に再送される。
【００３４】
一方、用紙反転路ＳＨ４を搬送される記録用紙Ｓを、記録用紙Ｓの後端がマイラーゲートＧＴ２を通過後、マイラーゲートＧＴ３を通過する前に、スイッチバックすると、マイラーゲートＧＴ２により記録用紙Ｓの搬送方向が規制され、記録用紙Ｓは表裏が反転された状態で用紙搬送路ＳＨ５に搬送される。表裏が反転された記録用紙Ｓは、カール補正部材Ｕ４ａによりカールが補正された後、前記用紙処理装置Ｕ４の用紙排出トレイＴＨ１に、用紙Ｓの画像定着面が下向きの状態、いわゆる、フェイスダウン状態で排出することができる。
前記符号ＳＨ１〜ＳＨ７で示された要素により用紙搬送路ＳＨが構成されている。また、前記符号ＳＨ，Ｒａ，Ｒｒ，Ｒｈ，ＳＧr，ＳＧ1，ＳＧ2，ＢＨ、ＧＴ１〜ＧＴ３で示された要素により用紙搬送装置ＳＵが構成されている。
【００３５】
（実施例１の第１機種の制御部Ｃの説明）
図３は本発明の実施例１の第１機種の画像形成装置の制御部のブロック線図である。
図３において、前記制御部Ｃは、外部との信号の入出力および入出力信号レベルの調節等を行うＩ／Ｏ（入出力インタフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００３６】
（前記制御部Ｃに接続された信号入力要素）
前記制御部Ｃには、次の信号出力要素ＵＩ（ユーザインタフェース）等の出力信号が入力されている。
ＵＩ：ユーザインタフェース
ユーザインタフェースＵＩは、表示部ＵＩ１、スタートキーＵＩ２等を備えている。
ＳＮｙ〜ＳＮｋ：像保持体ユニット装着検知センサ
像保持体ユニット装着検知センサＳＮｙ〜ＳＮｋは、像保持体ユニットＵＹ，ＵＭ，ＵＣ，ＵＫが画像形成装置Ｕに装着されていることを検知し、その検知信号を画像形成装置Ｕの制御部Ｃに送信する。
【００３７】
（制御部Ｃに接続された被制御要素）
制御部Ｃは、次の被制御要素の制御信号を出力している。
ＩＰＳ：イメージプロセッシングシステム
イメージプロセッシングシステムＩＰＳは、ＣＣＤから入力された読取画像信号をデジタルの画像書込信号に変換してレーザ駆動信号出力回路ＤＬに出力する。
ＤＬ：レーザ駆動回路
レーザ駆動回路ＤＬは、入力された画像書込信号に応じてレーザ駆動信号をＲＯＳｙ〜ＲＯＳｋ（潜像形成装置）に出力する。前記レーザ駆動信号に応じて、ＲＯＳｙ〜ＲＯＳｋ（潜像形成装置）のレーザダイオード（図示せず）から照射されたレーザ光Ｌｙ〜Ｌｋは、前記感光体Ｐｙ〜Ｐｋ表面を走査して、前記感光体Ｐｙ〜Ｐｋ表面に静電潜像を形成する。
【００３８】
Ｄ１：メインモータ駆動回路
メインモータ駆動回路Ｄ１は、メインモータＭ１を駆動することにより、前記現像器Ｇの現像ロールＲ０，Ｒ０，Ｒ０，Ｒ０、感光体ドラムＰｙ〜Ｐｋ、帯電ロールＣＲｙ〜ＣＲｋ、１次転写ロールＴ１ｙ〜Ｔ１ｋ、２次転写ロールＴ２ｂ、定着装置Ｆの加熱ロールＦｈおよび中間転写ベルトＢ等を回転駆動する。
【００３９】
Ｅ：電源回路
電源回路Ｅは、現像バイアス用電源回路Ｅ１ｙ〜Ｅ１ｋ、帯電用電源回路Ｅ２ｙ〜Ｅ２
ｋ、転写用電源回路Ｅ３ｙ〜Ｅ３ｋ，Ｅ３ｔおよび定着用電源回路Ｅ４ｙ〜Ｅ４ｋを有している。
Ｅ１ｙ〜Ｅ１ｋ：現像バイアス用電源回路
現像バイアス用電源回路Ｅ１ｙ〜Ｅ１ｋは、現像器ＧＹ〜ＧＫの現像ロールＲ０に現像バイアスを印加する。
Ｅ２ｙ〜Ｅ２ｋ：帯電用電源回路
帯電用電源回路Ｅ２は、帯電ロールＣＲｙ〜ＣＲｋに帯電バイアスを印加する。
Ｅ３ｙ〜Ｅ３ｋ，Ｅ３ｔ：転写用電源回路
転写用電源回路Ｅ３ｙ〜Ｅ３ｋ，Ｅ３ｔは、転写ロールＴ１ｙ〜Ｔ１ｋおよびＴ２ｂに転写バイアスを印加する。
Ｅ４ｙ〜Ｅ４ｋ：定着用電源回路
定着用電源回路Ｅ４ｙ〜Ｅ４ｋは、加熱ロールＦｈに加熱用電力を供給する。
【００４０】
Ｍｙ〜Ｍｋ：寿命検知情報記憶手段
各ユニットに設けられた寿命検知情報記憶手段Ｍｙ〜Ｍｋは、膜減り係数記憶手段Ｍ１ｙ〜Ｍ１ｋ、寿命判別残膜厚値情報記憶手段Ｍ２ｙ〜Ｍ２ｋ、残膜厚値記憶手段Ｍ３ｙ〜Ｍ３ｋとを有し、像保持体ユニットＵＹ〜ＵＫの寿命検知に必要な情報を記憶する。
Ｍ１ｙ〜Ｍ１ｋ：膜減り係数記憶手段
膜減り係数記憶手段Ｍ１ｙ〜Ｍ１ｋは、像保持体ユニットの使用状況に応じて感光体ドラムの膜厚が減少する割合に対応した膜減り係数Ｋ１ｙ〜Ｋ１ｋ、Ｋ２ｙ〜Ｋ２ｋ、Ｋ３ｙ〜Ｋ３ｋを記憶する。実施例１の膜減り係数記憶手段Ｍ１ｙ〜Ｍ１ｋでは、後述する帯電バイアスの印加モードに応じて、ＡＣ＋ＤＣバイアス重畳印加モード用膜減り係数Ｋ１ｙ〜Ｋ１ｋ、ＤＣバイアス印加モード用膜減り係数Ｋ２ｙ〜Ｋ２ｋおよび帯電バイアス印加停止モード用膜減り係数Ｋ３ｙ〜Ｋ３ｋを記憶する。
【００４１】
Ｍ２ｙ〜Ｍ２ｋ：寿命判別残膜厚値情報記憶手段
寿命判別残膜厚値情報記憶手段Ｍ２ｙ〜Ｍ２ｋは、各色Ｙ，Ｍ，Ｃ，Ｋの像保持体としての感光体ドラムＰｙ〜Ｐｋに設定された像保持体寿命時の残膜厚値ｄｙ，ｄｍ，ｄｃ，ｄｋを記憶する。
Ｍ３ｙ〜Ｍ３ｋ：残膜厚値記憶手段
残膜厚値記憶手段Ｍ３ｙ〜Ｍ３ｋは、像保持体ユニット内で使用されている各色Ｙ，Ｍ，Ｃ，Ｋの感光体ドラムＰｙ〜Ｐｋ表面の残膜厚値Ｄｙｍ，Ｄｍｍ，Ｄｃｍ，Ｄｋｍを記憶する。
【００４２】
（前記制御部Ｃの機能）
前記制御部Ｃは、前記各信号出力要素からの出力信号に応じた処理を実行して、前記各制御要素に制御信号を出力する機能を実現するプログラム（機能実現手段）を有している。前記制御部Ｃの各種機能を実現するプログラム（機能実現手段）を次に説明する。
Ｃ１：メインモータ回転制御手段
メインモータ回転制御手段Ｃ１は、前記メインモータ駆動回路Ｄ１の動作を制御して、感光体Ｐｙ〜Ｐｋ、現像器ＧＹ〜ＧＫ、定着装置Ｆおよび中間転写ベルトＢ等の回転を制御する。
Ｃ２：電源回路制御手段
電源回路制御手段Ｃ２は、次の手段Ｃ２ａ〜Ｃ２ｄを有しており、前記電源回路Ｅを制御して、前記現像バイアス、帯電バイアス、転写バイアス、加熱ロールＦｈのヒータのオンオフ等を制御する。
【００４３】
Ｃ２ａ：現像バイアス制御手段
現像バイアス制御手段Ｃ２ａは、前記現像バイアス用電源回路Ｅ１ｙ〜Ｅ１ｋの動作を制御して現像器ＧＹ〜ＧＫの現像ロールＲ０に現像バイアスを印加する。
【００４４】
Ｃ２ｂ：帯電バイアス制御手段
帯電バイアス制御手段Ｃ２ｂは、前記帯電バイアス用電源回路Ｅ２ｙ〜Ｅ２ｋの動作を制御して帯電ロールＣＲｙ〜ＣＲｋに印加する帯電バイアスを制御する。実施例１では、帯電バイアス制御手段Ｃ２ｂは、帯電電圧として、直流電圧（ＤＣ）のみ、または直流（ＤＣ）に交流電圧（ＡＣ）を重畳した電圧を印加する。そして、実施例１では、帯電バイアス制御手段Ｃ２ｂが、以下に示す３種類の帯電バイアス印加モードを切り換えながら、感光体ドラムＰｙ〜Ｐｋ表面に印加する帯電バイアスの制御を行っている。
（１）ＡＣ＋ＤＣバイアス重畳印加モード：画像形成動作時に感光体ドラムＰｙ，Ｐｍ，Ｐｃ，Ｐｋ表面の作像領域に均一で良好な画像を得るため、ＡＣバイアスにＤＣバイアスを重畳して印加する。
（２）ＤＣバイアス印加モード：画像形成動作時の用紙間部分のような、感光体ドラムＰｙ，Ｐｍ，Ｐｃ，Ｐｋ表面の非作像領域において、現像装置から現像剤が移動することを防止するために、感光体Ｐｙ〜Ｐｋ表面に一定の電位が必要な場合に、ＤＣバイアスのみを印加する。
（３）帯電バイアス印加停止モード：ウォームアップ動作のような画像形成動作を実行していない場合は、帯電バイアスを印加しない。
【００４５】
Ｃ２ｃ：転写バイアス制御手段
転写バイアス制御手段Ｃ２ｃは、前記転写用電源回路Ｅ３ｙ〜Ｅ３ｋ，Ｅ３ｔの動作を制御して１次転写ロールＴ１ｙ〜Ｔ１ｋおよび２次転写ロールＴ２ｂに印加する転写バイアスを印加する。
Ｃ２ｄ：定着用電源制御手段
定着用電源制御手段Ｃ２ｄは、定着用電源回路Ｅ４ｙ〜Ｅ４ｋの動作を制御して、前記加熱ロールＦｈのヒータをオンオフ制御する。
【００４６】
Ｃ３：潜像形成手段
潜像形成手段Ｃ３は、レーザ駆動回路ＤＬを介して、潜像形成装置ＲＯＳｙ〜ＲＯＳｋから感光体Ｐｙ〜Ｐｋに照射するレーザ光Ｌｙ〜Ｌｋの出力を制御して、感光体ドラムＰｙ〜Ｐｋ表面の潜像を形成する。
Ｃ４：像保持体ユニット情報読込手段
像保持体ユニット情報読込手段Ｃ４は、像保持体ユニットＵＹ，ＵＭ，ＵＣ，ＵＫの寿命検知情報記憶手段Ｍｙ，Ｍｍ，Ｍｃ，Ｍｋに保存されているデータである感光体ドラムＰｙ〜Ｐｋ表面の膜減り係数としてのＡＣ＋ＤＣバイアス重畳印加モード用膜減り係数Ｋ１ｙ〜Ｋ１ｋ，ＤＣバイアス印加モード用膜減り係数Ｋ２ｙ〜Ｋ２ｋ、帯電バイアス印加停止モード用膜減り係数Ｋ３ｙ〜Ｋ３ｋと、感光体ドラムＰｙ〜Ｐｋの寿命時の残膜厚値ｄｙ，ｄｍ，ｄｃ，ｄｋを読込むと共に、感光体ドラムＰｙ〜Ｐｋの残膜厚値Ｄｙｍ，Ｄｍｍ，Ｄｃｍ，Ｄｋｍを感光体ドラムＰｙ〜Ｐｋの残膜厚演算初期値Ｄｙｍ-１，Ｄｍｍ-１，Ｄｃｍ-１，Ｄｋｍ-１として読み込む。
【００４７】
ＴＭ１y：Ｙ像保持体回転時間計時タイマ（回転時間計測手段）
Ｙ像保持体回転時間計時タイマＴＭ１yは、感光体ドラムＰｙ回転時の回転時間を計時する。
ＴＭ１m：Ｍ像保持体回転時間計時タイマ（回転時間計測手段）
Ｍ像保持体回転時間計時タイマＴＭ１mは、感光体ドラムＰｍ回転時の回転時間を計時する。
ＴＭ１c：Ｃ像保持体回転時間計時タイマ（回転時間計測手段）
Ｃ像保持体回転時間計時タイマＴＭ１cは、感光体ドラムＰｃ回転時の回転時間を計時する。
ＴＭ１k：Ｋ像保持体回転時間計時タイマ（回転時間計測手段）
Ｋ像保持体回転時間計時タイマＴＭ１kは、感光体ドラムＰｋ回転時の回転時間を計時する。
【００４８】
Ｃ５：帯電バイアス印加モード判別手段
帯電バイアス印加モード判別手段Ｃ５は、前記感光体ドラムＰｙ〜Ｐｋ回転中すなわち像保持体回転時間計時タイマＴＭ１の計時中に、帯電バイアス制御手段Ｃ２ｂにより実行されている帯電バイアス印加モードが、ＡＣ＋ＤＣバイアス重畳印加モード、ＤＣバイアス印加モードおよび帯電バイアス印加停止モードのいずれであるかを判別する。
Ｃ６：像保持体寿命演算判別手段
像保持体寿命演算判別手段Ｃ６は、帯電バイアス印加モード時間一時記憶手段Ｃ６a、像保持体残膜厚値演算手段Ｃ６ｂおよび像保持体寿命判別手段Ｃ６ｃを有しており、像保持体としての感光体ドラムＰｙ〜Ｐｋの寿命を演算し、判別する。
【００４９】
Ｃ６a：帯電バイアス印加モード時間一時記憶手段
帯電バイアス印加モード時間一時記憶手段Ｃ６aは、像保持体計時タイマＴＭ１の計時中に実行される帯電バイアス印加モードの実行時間を計測し、前記帯電バイアス印加モード毎の累積実行時間を一時的に記憶する。実施例１の第１機種では、前記帯電バイアス印加モードの実行時間としては、帯電バイアス印加モードに対応する各色毎のＡＣ＋ＤＣバイアス重畳印加モード時間ｔ１ｙ〜ｔ１ｋ、ＤＣバイアス印加モード時間ｔ２ｙ〜ｔ２ｋおよび帯電バイアス印加停止モード時間ｔ３ｙ〜ｔ３ｋが設定されている。なお、像保持体計時タイマＴＭ１の計時中には、前記帯電バイアス印加モードの切り換えが行われるが、帯電バイアス印加モード時間一時記憶手段Ｃ６aは、前記切り換えによる帯電バイアス印加モードの変更に応じて、計測する帯電バイアス印加モード時間を変更しながら、実行時間の累積時間を記憶する。
【００５０】
Ｃ６ｂ：像保持体残膜厚値演算手段（残膜厚演算手段）
像保持体残膜厚値演算手段Ｃ６ｂは、経時的に表面が磨耗して膜厚が減少する感光体ドラムＰｙ〜Ｐｋ表面の残膜厚値Ｄｙｍ，Ｄｍｍ，Ｄｃｍ，Ｄｋｍを演算する。実施例１の像保持体残膜圧演算手段Ｃ６ｂでは、像保持体計時タイマＴＭ１〜ＴＭ４の計時中において、帯電ロールＣＲｙ〜ＣＲｋとの接触およびバイアス印加により磨耗する感光体ドラムＰｙ〜Ｐｋの残膜厚値を色毎に演算する。具体的には、寿命検知情報記憶手段Ｍｙ，Ｍｍ，Ｍｃ，Ｍｋから読み込んだ感光体ドラムＰｙ〜Ｐｋの残膜厚演算初期値Ｄｙｍ-１，Ｄｍｍ-１，Ｄｃｍ-１，Ｄｋｍ-１と、ＡＣ＋ＤＣバイアス重畳印加モード用膜減り係数Ｋ１ｙ〜Ｋ１ｋ、ＤＣバイアス印加モード用膜減り係数Ｋ２ｙ〜Ｋ２ｋおよび帯電バイアス印加停止モード用膜減り係数Ｋ３ｙ〜Ｋ３ｋと、ＡＣ＋ＤＣバイアス重畳印加モードの実行時間であるＡＣ＋ＤＣバイアス重畳印加モード時間ｔ１ｙ〜ｔ１ｋ、ＤＣバイアス印加モードの実行時間であるＤＣバイアス印加モード時間ｔ２ｙ〜ｔ２ｋおよび帯電バイアス印加停止モードの実行時間である帯電バイアス印加停止モード時間ｔ３ｙ〜ｔ３ｋとから、次の式（１）〜（４）により演算する。
Ｄｙｍ＝Ｄｙｍ-１−（Ｋ１ｙ・ｔ１ｙ＋Ｋ２ｙ・ｔ２ｙ＋Ｋ３ｙ・ｔ３ｙ）…式（１）
Ｄｍｍ＝Ｄｍｍ-１−（Ｋ１ｍ・ｔ１ｍ＋Ｋ２ｍ・ｔ２ｍ＋Ｋ３ｍ・ｔ３ｍ）…式（２）
Ｄｃｍ＝Ｄｃｍ-１−（Ｋ１ｃ・ｔ１ｃ＋Ｋ２ｃ・ｔ２ｃ＋Ｋ３ｃ・ｔ３ｃ）…式（３）
Ｄｋｍ＝Ｄｋｍ-１−（Ｋ１ｋ・ｔ１ｋ＋Ｋ２ｋ・ｔ２ｋ＋Ｋ３ｋ・ｔ３ｋ）…式（４）
【００５１】
なお、式（１）〜（４）に使用されている前記ＡＣ＋ＤＣバイアス重畳印加モード用膜減り
係数Ｋ１ｙ〜Ｋ１ｋ、ＤＣバイアス印加モード用膜減り係数Ｋ２ｙ〜Ｋ２ｋおよび帯電バイアス印加停止モード用膜減り係数Ｋ３ｙ〜Ｋ３ｋは、実験等により予め設定された値が設定されており、帯電バイアスにより感光体ドラムＰｙ〜Ｐｋ表面が受けるダメージの大小すなわち、膜減りの速さに応じた値に設定されている。
また、式（１）〜（４）中のＡＣ＋ＤＣバイアス重畳印加モード時間ｔ１ｙ〜ｔ１ｋ、ＤＣバイアス印加モード時間ｔ２ｙ〜ｔ２ｋおよび帯電バイアス印加停止モード時間ｔ３ｙ〜ｔ３ｋには、式（１）〜（４）による演算処理が行われる期間の各バイアス印加モード毎の実行時間の累積値が使用されている。
【００５２】
Ｃ６ｃ：像保持体寿命判別手段（寿命判別手段）
像保持体寿命判別手段Ｃ６ｃは、感光体ドラムＰｙ〜Ｐｋが寿命であるか否かを判別する。実施例１の像保持体寿命判別手段Ｃ６ｃは、色毎に前記像保持体残膜厚演算手段Ｃ６ｂの式（１）〜（４）で演算された感光体ドラムＰｙ〜Ｐｋの残膜厚値Ｄｙｍ，Ｄｍｍ，Ｄｃｍ，Ｄｋｍの値が、感光体ドラムＰｙ〜Ｐｋの寿命時の残膜厚値ｄｙ，ｄｍ，ｄｃ，ｄｋの値よりも小さいか否か、すなわちｄｙ＞Ｄｙｍ，ｄｍ＞Ｄｍｍ，ｄｃ＞Ｄｃｍ，ｄｋ＞Ｄｋｍであるか否かを判別することにより、該当する色の感光体ドラムＰｙ〜Ｐｋが寿命であると判別する。
また、像保持体ユニットＵＹ，ＵＭ，ＵＣ，ＵＫの交換時に、画像形成装置本体Ｕ３内に装着された像保持体ユニットＵＹ，ＵＭ，ＵＣ，ＵＫから読込まれた感光体Ｐｙ〜Ｐｋの残膜厚値Ｄｙｍ，Ｄｍｍ，Ｄｃｍ，Ｄｋｍの値が感光体ドラムＰｙ〜Ｐｋの寿命時の残膜厚値ｄｙ，ｄｍ，ｄｃ，ｄｋの値よりも小さいか否か、すなわちｄｙ＞Ｄｙｍ，ｄｍ＞Ｄｍｍ，ｄｃ＞Ｄｃｍ，ｄｋ＞Ｄｋｍであるか否かを判別することにより、該当する色の感光体ドラムＰｙ〜Ｐｋが寿命であるか否かを判別する。
Ｃ７：像保持体ユニット寿命表示手段（告知手段）
像保持体ユニット寿命表示手段Ｃ７は、前記像保持体寿命判別手段Ｃ６ｃにより感光体ドラムＰｙ〜Ｐｋのいずれかが寿命であると判断された場合に、ユーザインターフェイスＵＩの表示器ＵＩ１に、前記寿命であると判断された感光体ドラムＰｙ〜Ｐｋを有する像保持体ユニットＵＹ，ＵＭ，ＵＣ，ＵＫの寿命、すなわち、ユニットの交換時期となったことを通知するメッセージを表示する。
【００５３】
Ｃ８：像保持体残膜厚値情報更新手段
像保持体残膜厚値情報更新手段Ｃ８は、感光体Ｐｙ〜Ｐｋ回転終了時に、像保持体残膜厚値演算手段Ｃ６ｂにより演算された画像形成装置本体Ｕ３内の感光体ドラムＰｙ〜Ｐｋの残膜厚値Ｄｙｍ，Ｄｍｍ，Ｄｃｍ，Ｄｋｍを、像保持体ユニットＵＹ，ＵＭ，ＵＣ，ＵＫの残膜厚値記憶手段Ｍ３ｙ〜Ｍ３ｋに記憶、更新する。
Ｃ９：像保持体ユニット着脱判別手段
像保持体ユニット着脱判別手段Ｃ９は、前記像保持体ユニット装着検知センサＳＮｙ〜ＳＮｋからの検知信号を受信して、像保持体ユニットＵＹ，ＵＭ，ＵＣ，ＵＫが画像形成装置Ｕに装着されているか否かを判別する。
【００５４】
ＦＬ１：Ｙ像保持体ユニット寿命判定フラグ
Ｙ像保持体ユニット寿命判定フラグＦＬ１は、イエロー（Ｙ）の像保持体ユニットＵＹが寿命と判別されるとＦＬ１＝「１」となり、寿命になっていない場合には、ＦＬ＝「０」となる。
ＦＬ２：Ｍ像保持体ユニット寿命判定フラグ
Ｍ像保持体ユニット寿命判定フラグＦＬ２は、マゼンタ（Ｍ）の像保持体ユニットＵＭが寿命と判別されるとＦＬ２＝「１」となり、寿命になっていない場合には、ＦＬ＝「０」となる。
ＦＬ３：Ｃ像保持体ユニット寿命判定フラグ
Ｃ像保持体ユニット寿命判定フラグＦＬ３は、シアン（Ｃ）の像保持体ユニットＵＣが寿命と判別されるとＦＬ３＝「１」となり、寿命になっていない場合には、ＦＬ＝「０」となる。
ＦＬ４：Ｙ像保持体ユニット寿命判定フラグ
Ｋ像保持体ユニット寿命判定フラグＦＬ４は、黒（Ｋ）の像保持体ユニットＵＫが寿命と判別されるとＦＬ４＝「１」となり、寿命になっていない場合には、ＦＬ＝「０」となる。
【００５５】
（実施例１の第２機種の制御部Ｃ′の説明）
図４は本発明の実施例１の第２機種の画像形成装置の制御部のブロック線図であり、前記図３に対応する図である。
次に図４を使用して第２機種の制御部の説明を行うが、第１機種の制御部と異なる制御手段についてのみ説明を行い、第１機種と同様の制御部分については同一の符号を付して詳細な説明を省略する。
図４において、実施例１の第２機種の画像形成装置Ｕ′の制御部Ｃ′は、第１機種Ｕの制御部Ｃの像保持体残膜厚値演算手段Ｃ６ｂおよび像保持体寿命判別手段Ｃ６ｃの替わりに、像保持体残膜厚値演算手段Ｃ６ｂ１、および像保持体寿命判別手段Ｃ６ｃ′を有している。また、制御部Ｃ′では、次の機能（手段）像保持体寿命時残膜厚演算手段Ｃ６ｂ２が追加されている。さらに、ユーザインターフェイスＵＩには、用紙種類選択キーＵＩ３、が追加されている。
（前記制御部Ｃ′に接続された信号入力要素）
ＵＩ３：用紙種類選択キー
ユーザインタフェースＵＩには、用紙種類選択キーＵＩ３が追加されている。
（前記制御部Ｃ′の機能）
【００５６】
Ｃ６ｂ１：像保持体残膜厚値演算手段
像保持体残膜厚値演算手段Ｃ６ｂ１は、経時的に表面が磨耗して膜厚が減少する感光体ドラムＰｙ〜Ｐｋ表面の残膜厚値Ｄｙｍ，Ｄｍｍ，Ｄｃｍ，Ｄｋｍを演算する。実施例１の像保持体残膜厚値演算手段Ｃ６ｂ１では、前記像保持体残膜厚値演算手段Ｃ６ｂで使用している式（１）〜（４）に替えて式（１′）〜（４′）を使用して、ＡＣ＋ＤＣバイアス重畳印加モード用膜減り係数Ｋ１ｙ〜Ｋ１ｋ、ＤＣバイアス印加モード用膜減り係数Ｋ２ｙ〜Ｋ２ｋおよび帯電バイアス印加停止モード用膜減り係数Ｋ３ｙ〜Ｋ３ｋと、ＡＣ＋ＤＣバイアス重畳印加モードの実行時間であるＡＣ＋ＤＣバイアス重畳印加モード時間ｔ１ｙ〜ｔ１ｋ、ＤＣバイアス印加モードの実行時間であるＤＣバイアス印加モード時間ｔ２ｙ〜ｔ２ｋおよび帯電バイアス印加停止モードの実行時間である帯電バイアス印加停止モード時間ｔ３ｙ〜ｔ３ｋと、プロセススピードに応じた補正係数であるＡＣ＋ＤＣバイアス重畳印加モード用補正係数ｈ１ｙ〜ｈ１ｋと、ＤＣバイアス印加モード用補正係数ｈ２ｙ〜ｈ２ｋと、帯電バイアス印加停止モード補正係数ｈ３ｙ〜ｈ３ｋと、に基づいて感光体ドラムＰｙ〜Ｐｋ表面の残膜厚値Ｄｙｍ，Ｄｍｍ，Ｄｃｍ，Ｄｋｍを演算する。
Ｄｙｍ＝Ｄｙｍ-１−（Ｋ１ｙ・ｈ１ｙ・ｔ１ｙ＋Ｋ２ｙ・ｈ２ｙ・ｔ２ｙ＋Ｋ３ｙ・ｈ３ｙ・ｔ３ｙ）…式（１′）
Ｄｍｍ＝Ｄｍｍ-１−（Ｋ１ｍ・ｈ１ｍ・ｔ１ｍ＋Ｋ２ｍ・ｈ２ｍ・ｔ２ｍ＋Ｋ３ｍ・ｈ３ｍ・ｔ３ｍ）…式（２′）
Ｄｃｍ＝Ｄｃｍ-１−（Ｋ１ｃ・ｈ１ｃ・ｔ１ｃ＋Ｋ２ｃ・ｈ２ｃ・ｔ２ｃ＋Ｋ３ｃ・ｈ３ｃ・ｔ３ｃ）…式（３′）
Ｄｋｍ＝Ｄｋｍ-１−（Ｋ１ｋ・ｈ１ｋ・ｔ１ｙ＋Ｋ２ｋ・ｈ２ｋ・ｔ２ｙ＋Ｋ３ｋ・ｈ３ｋ・ｔ３ｙ）…式（４′）
【００５７】
Ｃ６ｂ２：像保持体寿命時残膜厚演算手段
像保持体寿命時残膜厚演算手段Ｃ６ｂ２は、像保持体ユニット情報読込手段Ｃ４により読込まれた感光体ドラムＰｙ〜Ｐｋの寿命時の残膜厚値ｄｙ，ｄｍ，ｄｃ，ｄｋと、第２機種用の感光体ドラムＰｙ〜Ｐｋの寿命時の残膜厚値補正項ｚと、に基づいて、第２機種の像保持体寿命時残膜厚ｄｙ×ｚ，ｄｍ×ｚ，ｄｃ×ｚ，ｄｋ×ｚを演算する。
【００５８】
Ｃ６ｃ′：像保持体寿命判別手段
像保持体寿命判別手段Ｃ６ｃ′は、感光体ドラムＰｙ〜Ｐｋが寿命であるか否かを判別する。実施例１の像保持体寿命判別手段Ｃ６ｃ′は、色毎に前記像保持体残膜厚演算手段Ｃ６ｂ１′の式（１′）〜（４′）で演算された感光体ドラムＰｙ〜Ｐｋの残膜厚値Ｄｙｍ，Ｄｍｍ，Ｄｃｍ，Ｄｋｍの値が、前記像保持体寿命時残膜厚演算手段Ｃ６ｂ２′によって演算
された第２機種の感光体Ｐｙ〜Ｐｋの像保持体寿命時残膜厚ｄｙ×ｚ，ｄｍ×ｚ，ｄｃ×ｚ，ｄｋ×ｚの値よりも小さいか否か、すなわちｄｙ×ｚ＞Ｄｙｍ，ｄｍ×ｚ＞Ｄｍｍ，ｄｃ×ｚ＞Ｄｃｍ，ｄｋ×ｚ＞Ｄｋｍであるか否かを判別することにより、該当する色の感光体ドラムＰｙ〜Ｐｋが寿命であるか否か判別する。
また、実施例１の像保持体寿命判別手段Ｃ６ｃ′は、像保持体ユニットＵＹ，ＵＭ，ＵＣ，ＵＫの交換時において、新たに画像形成装置本体Ｕ３内に装着された像保持体ユニットＵＹ，ＵＭ，ＵＣ，ＵＫの残膜厚値記憶手段Ｍ３ｙ〜Ｍ３ｋから読込まれた感光体Ｐｙ〜Ｐｋの残膜厚値Ｄｙｍ，Ｄｍｍ，Ｄｃｍ，Ｄｋｍの値が、前記像保持体寿命時残膜厚演算手段Ｃ６ｂ２′によって演算された第２機種の感光体Ｐｙ〜Ｐｋの像保持体寿命時残膜厚ｄｙ×ｚ，ｄｍ×ｚ，ｄｃ×ｚ，ｄｋ×ｚの値よりも小さいか否か、すなわちｄｙ×ｚ＞Ｄｙｍ，ｄｍ×ｚ＞Ｄｍｍ，ｄｃ×ｚ＞Ｄｃｍ，ｄｋ×ｚ＞Ｄｋｍであるか否かを判別し、該当する色の感光体ドラムＰｙ〜Ｐｋが寿命であるか否かを判別する。
【００５９】
Ｃ１０：紙種判別手段
紙種判別手段Ｃ１０は、前記用紙種類選択キーＵＩ３への入力情報に基づいて用紙種類（紙種）を判別する。実施例１では、前記用紙種類として、普通紙（坪量が１００ｇ/ｍ２未満）および坪量が前記普通紙よりも大きく設定された厚紙（坪量が１００ｇ/ｍ２以上）の２つの用紙種類が選択可能に構成されている。
Ｃ１１：プロセススピード判別手段
プロセススピード判別手段Ｃ１１は、前記紙種判別手段Ｃ１０により判別された用紙種類判別結果から画像形成動作中に使用するプロセススピードを判別する。実施例１では、用紙種類判別結果が普通紙である場合には、プロセススピードに第１プロセススピードとして３５ｐｐｍが設定され、用紙種類判別結果が厚紙である場合には、プロセススピードに第２プロセススピードとして２５ｐｐｍが設定される。
【００６０】
Ｃ１２：プロセススピード制御手段
プロセススピード制御手段Ｃ１２は、前記プロセススピード判別手段Ｃ１１により設定されたプロセススピードに基づいて、画像形成動作（ジョブ）のプロセススピードを制御する。
Ｃ１３：補正項記憶手段（補正係数記憶手段）
補正項記憶手段Ｃ１３は、前記プロセススピードに応じて変更される補正係数としてのＡＣ＋ＤＣバイアス重畳印加モード用補正係数ｈ１ｙ〜ｈ１ｋ、ＤＣバイアス印加モード用補正係数ｈ２ｙ〜ｈ２ｋおよび帯電バイアス印加停止モード補正係数ｈ３ｙ〜ｈ３ｋに代入される膜減り補正値と、感光体ドラムＰｙ〜Ｐｋの寿命時の残膜厚値補正項ｚに代入される寿命時の残膜厚値補正値とを記憶する。
実施例１の補正項記憶手段Ｃ１３は、第１プロセススピード用の膜減り補正値として、ＡＣ＋ＤＣバイアス重畳印加モード用補正係数ｈ１ｙ〜ｈ１ｋに代入されるＡＣ＋ＤＣバイアス重畳印加モード用第１膜減り補正値α１ｙ〜α１ｋと、ＤＣバイアス印加モード用補正係数ｈ２ｙ〜ｈ２ｋに代入されるＤＣバイアス印加モード用第１膜減り補正値α２ｙ〜α２ｋと、帯電バイアス印加停止モード補正係数ｈ３ｙ〜ｈ３ｋに代入される帯電バイアス印加停止モード用第１膜減り補正値α３ｙ〜α３ｋとを記憶する。
【００６１】
また、実施例１の補正項記憶手段Ｃ１３は、第２プロセススピード用の膜減り補正値として、ＡＣ＋ＤＣバイアス重畳印加モード用補正係数ｈ１ｙ〜ｈ１ｋに代入されるＡＣ＋ＤＣバイアス重畳印加モード用第２膜減り補正値β１ｙ〜β１ｋと、ＤＣバイアス印加モード用補正係数ｈ２ｙ〜ｈ２ｋに代入されるＤＣバイアス印加モード用第２膜減り補正値β２ｙ〜β２ｋと、帯電バイアス印加停止モード補正係数ｈ３ｙ〜ｈ３ｋに代入される帯電バイアス印加停止モード用第２膜減り補正値β３ｙ〜β３ｋとを記憶する。
さらに、実施例１の補正項記憶手段Ｃ１３は、寿命時の残膜厚値補正値として、残膜厚値補正項ｚに代入される第１プロセススピード用の第１残膜厚補正値ｚ１と、第２プロセススピード用の第２残膜厚補正値ｚ２とを記憶する。
【００６２】
Ｃ１４：補正項選択手段
補正項選択手段Ｃ１４は、実行される画像形成動作の速度（プロセススピード）に応じて、各補正値α１ｙ〜α３ｋ，β１ｙ〜β３ｋ，ｚ１，ｚ２を選択し、各補正係数ｈ１ｙ〜ｈ３ｋ，ｚに代入する。
【００６３】
（実施例１のフローチャートの説明）
（第１機種のイエロー（Ｙ）の寿命検知処理のフローチャート）
図５は実施例１の第１機種の像保持体ユニットの寿命検知処理のフローチャートである。
図５のフローチャートの各ＳＴ（ステップ）の処理は、前記制御部ＣのＲＯＭやハードディスク等に記憶されたプログラムに従って行われる。また、この処理は画像形成装置Ｕの他の各種処理と並行してマルチタスクで実行される。なお、この処理では、各色（Ｙ，Ｍ，Ｃ，Ｋ）毎の処理が並行して実行される。そのため、図５では、イエロー（Ｙ）の像保持体ユニットＵＹの寿命検知処理についてのみ説明を行い、その他の色（Ｍ，Ｃ，Ｋ）の像保持体ユニットＵＭ，ＵＣ，ＵＫの寿命検知処理についての詳細な説明は省略する。
図５に示すフローチャートは画像形成装置Ｕの電源投入時に開始される。
【００６４】
図５のＳＴ１において、像保持体としての感光体ドラムＰｙが回転を開始したか否かを判別する。ノー（Ｎ）の場合はＳＴ１２に移り、イエス（Ｙ）の場合はＳＴ２に移る。
ＳＴ２において、像保持体ユニットＵＹの寿命検知情報記憶手段Ｍｙに記憶されているＡＣ＋ＤＣバイアス重畳印加モード用膜減り係数Ｋ１ｙ、ＤＣバイアス印加モード用膜減り係数Ｋ２ｙおよび帯電バイアス印加停止モード用膜減り係数Ｋ３ｙと、感光体ドラムＰｙの寿命時の残膜厚値ｄｙおよび感光体ドラムＰｙの残膜厚値Ｄｙｍを感光体Ｐｙの残膜厚演算初期値Ｄｙｍ-１として読込み、ＳＴ３に移る。
ＳＴ３において、ＡＣ＋ＤＣバイアス重畳印加モード時間ｔ１ｙ、ＤＣバイアス印加モード時間ｔ２ｙおよび帯電バイアス印加停止モード時間ｔ３ｙを０にリセットし、ＳＴ４に移る。
ＳＴ４において、以下の処理（１）、（２）を実行し、ＳＴ５に移る。
（１）実行中の帯電バイアス印加モードが、ＡＣ＋ＤＣバイアス重畳印加モード、ＤＣバイアス印加モードおよび帯電バイアス印加停止モードのいずれかを判別する。
（２）判別された帯電バイアス印加モードに応じたＡＣ＋ＤＣバイアス重畳印加モード時間ｔ１ｙ、ＤＣバイアス印加モード時間ｔ２ｙおよび帯電バイアス印加停止モード時間ｔ３ｙの時間の計測を実行（再開）する。
【００６５】
ＳＴ５において、感光体ドラムＰｙの残膜厚値が寿命時の残膜厚値よりも小さいか否か、すなわち、ｄｙ＞Ｄｙｍ＝Ｄｙｍ-１−（Ｋ１ｙ・ｔ１ｙ＋Ｋ２ｙ・ｔ２ｙ＋Ｋ３ｙ・ｔ３ｙ）であるか否かを判別する。ノー（Ｎ）の場合はＳＴ６に移り、イエス（Ｙ）の場合はＳＴ９に移る。
ＳＴ６において、感光体ドラムＰｙの回転が終了したか否かを判別する。ノー（Ｎ）の場合はＳＴ１０に移り、イエス（Ｙ）の場合は、ＳＴ７に移る。
ＳＴ７において、ＡＣ＋ＤＣバイアス重畳印加モード時間ｔ１ｙ、ＤＣバイアス印加モード時間ｔ２ｙおよび帯電バイアス印加停止モード時間ｔ３ｙの計測を終了して、ＳＴ８に移る。
ＳＴ８において、画像形成装置本体Ｕ３の前記ＳＴ５で演算した画像形成装置本体Ｕ３の感光体ドラムＰｙの残膜厚値Ｄｙｍを、像保持体ユニットＵＹの残膜厚値記憶手段Ｍ３ｙに記憶（更新）し、前記ＳＴ１に戻る。
【００６６】
ＳＴ９において、以下の処理（１）、（２）を行い、前記ＳＴ１に戻る。
（１）像保持体ユニットＵＹに関連する動作を強制終了する。すなわち、感光体ドラムＰｋの回転動作や、画像形成動作を強制終了する。
（２）寿命判定フラグＦＬ１＝「１」に設定する。
ＳＴ１０において、帯電バイアス印加モードが変更されたか否か判別する。ノー（Ｎ）の場合は前記ＳＴ５に戻り、イエス（Ｙ）の場合はＳＴ１１に移る。
ＳＴ１１において、計測中の帯電バイアス印加モードに応じたＡＣ＋ＤＣバイアス重畳印加モード時間ｔ１ｙ、ＤＣバイアス印加モード時間ｔ２ｙおよび帯電バイアス印加停止モード時間ｔ３ｙのいずれかの時間を一時記憶して、前記ＳＴ４に戻る。
【００６７】
ＳＴ１２において、寿命判定フラグＦＬ１が「１」であるか否か半別する。イエス（Ｙ）の場合はＳＴ１３に移り、ノー（Ｎ）の場合は前記ＳＴ１に戻る。
ＳＴ１３において、ユーザインターフェイスＵＩの表示部ＵＩ１に、寿命と判別された像保持体ユニットＵＹが寿命である旨のメッセ―ジを表示し、ＳＴ１４に移る。
ＳＴ１４において、像保持体ユニットＵＹが交換されたか否か判断する。ノー（Ｎ）の場合はＳＴ１４を繰り返し実行し、イエス（Ｙ）の場合はＳＴ１５に移る。
ＳＴ１５において、交換された像保持体ユニットの感光体ドラムＰｙの寿命時の残膜厚値ｄｙおよび感光体ドラムＰｙの残膜厚値Ｄｙｍを読み込んで、ＳＴ１６に移る。
ＳＴ１６において、前記感光体ドラムＰｙの残膜厚値Ｄｙｍは、感光体ドラムＰｙの寿命時の残膜厚値ｄｙよりも小さいか否か、すなわち、ｄｙ＞Ｄｙｍであるか否かを判別する。イエス（Ｙ）の場合は、前記ＳＴ１３に戻り、ノー（Ｎ）の場合は、ＳＴ１７に移る。
ＳＴ１７において、寿命判定フラグＦＬ１＝「０」に設定して、前記ＳＴ１に戻る。
【００６８】
（第２機種のイエロー（Ｙ）の寿命検知処理のフローチャート）
図６は実施例１の第２機種の像保持体ユニットの寿命検知処理のフローチャートであり、前記図５に対応する図である。
次に図６のフローチャートにおいて、第２機種のフローチャートの説明を行うが、前記第１機種のフローチャートと同様の処理には、同一のＳＴ番号を付し、詳細な説明は省略する。
【００６９】
図６のＳＴ２′では、図４のＳＴ２に替えて次の処理（１）、（２）、（３）を実行し、ＳＴ３に移る。
（１）像保持体ユニットＵＹの寿命検知情報記憶手段Ｍｙに記憶されているＡＣ＋ＤＣバイアス重畳印加モード用膜減り係数Ｋ１ｙ、ＤＣバイアス印加モード用膜減り係数Ｋ２ｙおよび帯電バイアス印加停止モード用膜減り係数Ｋ３ｙと、感光体ドラムＰｙの寿命時の残膜厚値ｄｙと、を読み込むとともに、感光体ドラムＰｙの残膜厚値Ｄｙｍを感光体ドラムＰｙの残膜厚演算初期値Ｄｙｍ-１として読み込む。
（２）画像形成動作（ジョブ）で使用するプロセススピードに応じた膜減り補正項ｈ１ｙ〜ｈ３ｙおよび、感光体ドラムＰｙの寿命時の残膜厚値補正項ｚを読み込む。
（３）感光体ドラムＰｙの寿命時の残膜厚値ｄｙに寿命時の残膜厚値補正項ｚを乗算してｄｙ×ｚを演算する。
図６のＳＴ５′では、図４のＳＴ５に替えて、感光体ドラムＰｙの残膜厚値が寿命時の残膜厚値よりも小さいか否か、すなわち、ｄｙ×ｚ＞Ｄｙｍ＝Ｄｙｍ-１−（Ｋ１ｙ・ｈ１ｙ・ｔ１ｙ＋Ｋ２ｙ・ｈ２ｙ・ｔ２ｙ＋Ｋ３ｙ・ｈ３ｙ・ｔ３ｙ）であるか否かを判別する。ノー（Ｎ）の場合はＳＴ６に移り、イエス（Ｙ）の場合はＳＴ９に移る。
【００７０】
（実施例１の作用）
前記構成を備えた実施例１の画像形成装置Ｕ，Ｕ′では、像保持体ユニットＵＹ，ＵＭ，ＵＣ，ＵＫの感光体ドラムＰｙ〜Ｐｋの残膜厚は、感光体ドラムＰｙ〜Ｐｋと帯電ロールとの磨耗や電圧の印加により減少し、減少量は印加される電圧やプロセススピードにより異なる。
実施例１の第１機種の画像形成装置Ｕでは、感光体ドラムＰｙ〜Ｐｋ回転時に印加される電圧等に基づいて感光体ドラムＰｙ〜Ｐｋの表面の残膜厚値Ｄｙｍ，Ｄｍｍ，Ｄｃｍ，Ｄｋｍを演算し、寿命時の残膜厚値ｄｙ〜ｄｋと比較することにより、感光体ドラムＰｙ〜Ｐｋの寿命が検知される。
【００７１】
また、第２機種の画像形成装置Ｕ′では、第１機種の画像形成装置Ｕで使用される像保持体ユニットと同型の像保持体ユニットＵＹ，ＵＭ，ＵＣ，ＵＫが装着される。前記第２機種では、プロセススピードの変更に応じて値が変化する補正係数ｈ１ｙ〜ｈ３ｋにより、感光体ドラムＰｙ〜Ｐｋの残膜厚演算時に使用されるＡＣ＋ＤＣバイアス重畳印加モード用膜減り係数Ｋ１ｙ〜Ｋ１ｋ、ＤＣバイアス印加モード用膜減り係数Ｋ２ｙ〜Ｋ２ｋおよび帯電バイアス印加停止モード用膜減り係数Ｋ３ｙ〜Ｋ３ｋの値が補正される。
さらに、プロセススピードの変更に応じて値が変化する寿命時の残膜厚値補正項ｚにより、寿命時の残膜厚値ｄｙ〜ｄｋの値が、第２機種の画像形成装置Ｕ′の寿命時の残膜厚値ｄｙ×ｚ〜ｄｋ×ｚに補正される。
そのため、実施例１の第２機種の画像形成装置Ｕ′では、プロセススピードの変更に対応して補正された感光体Ｐｙ〜Ｐｋ表面の残膜厚値Ｄｙｍ，Ｄｍｍ，Ｄｃｍ，Ｄｋおよび寿命時の残膜厚値ｄｙ×ｚ〜ｄｋ×ｚを比較することにより、感光体Ｐｙ〜Ｐｋの寿命が検知される。
また、前記第１機種の画像形成装置Ｕと第２機種の画像形成装置Ｕ′とのいずれにおいても、感光体ドラムＰｙ〜Ｐｋの寿命を検知した場合には、像保持体ユニットＵＹ，ＵＭ，ＵＣ，ＵＫが寿命である内容のメッセージを表示部ＵＩ１に表示し、ユーザに像保持体ユニットＵＹ，ＵＭ，ＵＣ，ＵＫの交換が促される。
【実施例２】
【００７２】
（実施例２の制御部の説明）
（第１機種の制御部Ｃの説明）
図７は本発明の実施例２の第１機種の画像形成装置の制御部のブロック線図であり、実施例１の前記図３に対応する図である。
図７において、実施例２の寿命検知情報記憶手段Ｍｙ〜Ｍｋは、実施例１と同様の寿命検知情報記憶手段Ｍ１ｙ〜Ｍ１ｋ、Ｍ２ｙ〜Ｍ２ｋ、実施例１の残膜厚値記憶手段Ｍ３ｙ〜Ｍ３ｋに替えて、初期膜厚記憶手段Ｍ３ｙ′〜Ｍ３ｋ′とを有し、帯電バイアス印加モード時間累積値記憶手段Ｍ４ｙ〜Ｍ４ｋが追加されている。また、実施例２の制御部Ｃは、実施例１と同様の制御手段Ｃ１〜Ｃ３、ＴＭ１ｙ〜Ｔｍ１ｋ、Ｃ５、Ｃ７、Ｃ９、ＦＬ１〜ＦＬ４を有し、実施例１とは異なる像保持体ユニット情報読込手段Ｃ４、像保持体残膜厚値演算手段Ｃ６ｂ、像保持体寿命判別手段Ｃ６ｃを有し、像保持体残膜厚情報更新手段Ｃ８に替えて帯電バイアス印加モード時間累積値更新手段Ｃ８′が追加されている。
【００７３】
（制御部Ｃに接続された被制御要素）
Ｍ３ｙ′〜Ｍ３ｋ′：初期残膜厚値記憶手段
初期残膜厚値記憶手段Ｍ３ｙ′〜Ｍ３ｋ′は、感光体ドラムＰｙ〜Ｐｋの初期膜厚値でＤｙ０、Ｄｍ０、Ｄｃ０、Ｄｋ０を記憶する。
Ｍ４ｙ〜Ｍ４ｋ：帯電バイアス印加モード時間累積値記憶手段
帯電バイアス印加モード時間累積値記憶手段Ｍ４ｙ〜Ｍ４ｋは、帯電バイアス印加モード毎の時間であるＡＣ＋ＤＣバイアス重畳印加モードの実行時間であるＡＣ＋ＤＣバイアス重畳印加モード時間ｔ１ｙ〜ｔ１ｋ、ＤＣバイアス印加モードの実行時間であるＤＣバイアス印加モード時間ｔ２ｙ〜ｔ２ｋおよび帯電バイアス印加停止モードの実行時間である帯電バイアス印加停止モード時間ｔ３ｙ〜ｔ３ｋを記憶する。
【００７４】
（実施例２の制御部Ｃの機能）
Ｃ４：像保持体ユニット情報読込手段
像保持体ユニット情報読込手段Ｃ４は、像保持体ユニットＵＹ，ＵＭ，ＵＣ，ＵＫの記憶素子Ｍｙ，Ｍｍ，Ｍｃ，Ｍｋに保存されている感光体ドラムＰｙ〜Ｐｋ表面の膜減り係数Ｋ１ｙ〜Ｋ１ｋ，Ｋ２ｙ〜Ｋ２ｋ，Ｋ３ｙ〜Ｋ３ｋと、感光体ドラムＰｙ〜Ｐｋの寿命時の残膜厚値ｄｙ，ｄｍ，ｄｃ，ｄｋを読込むと共に、実施例１で読込んだ感光体ドラムＰｙ〜Ｐｋの残膜厚値Ｄｙｍ，Ｄｍｍ，Ｄｃｍ，Ｄｋｍに替えて前記初期膜厚値Ｍ３ｙ′〜Ｍ３ｋ′に保存されている感光体Ｐｙ〜Ｐｋの初期膜厚値Ｄｙ０〜Ｄｋ０と、帯電バイアス印加モード時間累積値記憶手段Ｍ４ｙ〜Ｍ４ｋに保存されているＡＣ＋ＤＣバイアス重畳印加モードの累積実行時間であるＡＣ＋ＤＣバイアス重畳印加モード時間ｔ１ｙ〜ｔ１ｋ、ＤＣバイアス印加モードの累積実行時間であるＤＣバイアス印加モード時間ｔ２ｙ〜ｔ２ｋおよび帯電バイアス印加停止モードの累積実行時間である帯電バイアス印加停止モード時間ｔ３ｙ〜ｔ３ｋと、を読込む。
【００７５】
Ｃ６ｂ：像保持体残膜厚値演算手段
像保持体残膜厚値演算手段Ｃ６ｂは、経時的に表面が磨耗して膜厚が減少する感光体ドラムＰｙ〜Ｐｋ表面の残膜厚値Ｄｙ，Ｄｍ，Ｄｃ，Ｄｋを演算する。実施例２の像保持体残膜圧演算手段Ｃ６ｂでは、実施例１と同様に像保持体計時タイマＴＭ１〜ＴＭ４の計時中および像保持体ユニットＵＹ，ＵＭ，ＵＣ，ＵＫの交換後において、帯電ロールＣＲｙ〜ＣＲｋとの接触およびバイアス印加により磨耗する感光体ドラムＰｙ〜Ｐｋの残膜厚値を色毎に演算する。具体的には、寿命検知情報記憶手段Ｍｙ，Ｍｍ，Ｍｃ，Ｍｋから読み込んだ感光体ドラムＰｙ〜Ｐｋの初期膜厚値Ｄｙ０，Ｄｍ０，Ｄｃ０，Ｄｋ０と、ＡＣ＋ＤＣバイアス重畳印加モード用膜減り係数Ｋ１ｙ〜Ｋ１ｋ、ＤＣバイアス印加モード用膜減り係数Ｋ２ｙ〜Ｋ２ｋおよび帯電バイアス印加停止モード用膜減り係数Ｋ３ｙ〜Ｋ３ｋと、ＡＣ＋ＤＣバイアス重畳印加モードの累積実行時間であるＡＣ＋ＤＣバイアス重畳印加モード時間ｔ１ｙ〜ｔ１ｋ、ＤＣバイアス印加モードの累積実行時間であるＤＣバイアス印加モード時間ｔ２ｙ〜ｔ２ｋおよび帯電バイアス印加停止モードの累積実行時間である帯電バイアス印加停止モード時間ｔ３ｙ〜ｔ３ｋとから、次の式（５）〜（８）により演算する。
Ｄｙ＝Ｄｙ０−（Ｋ１ｙ・ｔ１ｙ＋Ｋ２ｙ・ｔ２ｙ＋Ｋ３ｙ・ｔ３ｙ）…式（５）
Ｄｍ＝Ｄｍ０−（Ｋ１ｍ・ｔ１ｍ＋Ｋ２ｍ・ｔ２ｍ＋Ｋ３ｍ・ｔ３ｍ）…式（６）
Ｄｃ＝Ｄｃ０−（Ｋ１ｃ・ｔ１ｃ＋Ｋ２ｃ・ｔ２ｃ＋Ｋ３ｃ・ｔ３ｃ）…式（７）
Ｄｋ＝Ｄｋ０−（Ｋ１ｋ・ｔ１ｋ＋Ｋ２ｋ・ｔ２ｋ＋Ｋ３ｋ・ｔ３ｋ）…式（８）
【００７６】
Ｃ６ｃ：像保持体寿命判別手段
像保持体寿命判別手段Ｃ６ｃは、感光体ドラムＰｙ〜Ｐｋが寿命であるか否かを判別する。実施例２の像保持体寿命判別手段Ｃ６ｃは、感光体Ｐｙ〜Ｐｋ回転中すなわち像保持体回転時間計時タイマＴＭ１〜ＴＭ４および像保持体ユニットＵＹ，ＵＭ，ＵＣ，ＵＫの交換時に、色毎に前記像保持体残膜厚演算手段Ｃ６ｂの式（５）〜（８）で演算された感光体ドラムＰｙ〜Ｐｋの残膜厚値Ｄｙ，Ｄｍ，Ｄｃ，Ｄｋの値が、感光体ドラムＰｙ〜Ｐｋの寿命時の残膜厚値ｄｙ，ｄｍ，ｄｃ，ｄｋの値よりも小さいか否か、すなわち、ｄｙ＞Ｄｙ，ｄｍ＞Ｄｍ，ｄｃ＞Ｄｃ，ｄｋ＞Ｄｋであるか否かを判別することにより、該当する色の感光体ドラムＰｙ〜Ｐｋが寿命であると判別する。
【００７７】
（第２機種の制御部Ｃ′の説明）
図８は本発明の実施例２の第２機種の画像形成装置の制御部のブロック線図であり、実施例１の前記図４に対応する図である。
次に図８を使用して実施例２の第２機種Ｕ′の制御部Ｃ′の説明を行うが、実施例１と異なる制御手段ついてのみ説明を行い、実施例１と同様の制御手段ついては同一の符号を付して詳細な説明を省略する。
図８において、実施例２の第２機種の画像形成装置Ｕ′の制御部Ｃ′は、実施例１の制御部Ｃ′の像保持体残膜厚値演算手段Ｃ６ｂ１′および像保持体寿命判別手段Ｃ６ｃ′と異なる像保持体残膜厚値演算手段Ｃ６ｂ１′および像保持体寿命判別手段Ｃ６ｃ′とを有している。
【００７８】
（前記制御部Ｃ′の機能）
Ｃ６ｂ１′：像保持体残膜厚値演算手段
像保持体残膜厚値演算手段Ｃ６ｂ１′は、経時的に表面が磨耗して膜厚が減少する感光体ドラムＰｙ〜Ｐｋ表面の残膜厚値Ｄｙ，Ｄｍ，Ｄｃ，Ｄｋを演算する。実施例２の像保持体残膜厚値演算手段Ｃ６ｂ１′では実施例１の前記像保持体残膜厚値演算手段Ｃ６ｂ′で使用している式（１′）〜（４′）に替えて式（５′）〜（８′）を使用して、ＡＣ＋ＤＣバイアス重畳印加モード用膜減り係数Ｋ１ｙ〜Ｋ１ｋ、ＤＣバイアス印加モード用膜減り係数Ｋ２ｙ〜Ｋ２ｋおよび帯電バイアス印加停止モード用膜減り係数Ｋ３ｙ〜Ｋ３ｋと、ＡＣ＋ＤＣバイアス重畳印加モードの累積実行時間であるＡＣ＋ＤＣバイアス重畳印加モード時間ｔ１ｙ〜ｔ１ｋ、ＤＣバイアス印加モードの累積実行時間であるＤＣバイアス印加モード時間ｔ２ｙ〜ｔ２ｋおよび帯電バイアス印加停止モードの累積実行時間である帯電バイアス印加停止モード時間ｔ３ｙ〜ｔ３ｋと、プロセススピードに応じた補正係数であるＡＣ＋ＤＣバイアス重畳印加モード用補正係数ｈ１ｙ〜ｈ１ｋと、ＤＣバイアス印加モード用補正係数ｈ２ｙ〜ｈ２ｋと、帯電バイアス印加停止モード補正係数ｈ３ｙ〜ｈ３ｋと、に基づいて感光体ドラムＰｙ〜Ｐｋ表面の残膜厚値Ｄｙ，Ｄｍ，Ｄｃ，Ｄｋを演算する。
Ｄｙ＝Ｄｙ０−（Ｋ１ｙ・ｈ１ｙ・ｔ１ｙ＋Ｋ２ｙ・ｈ２ｙ・ｔ２ｙ＋Ｋ３ｙ・ｈ３ｙ・ｔ３ｙ）…式（５′）
Ｄｍ＝Ｄｍ０−（Ｋ１ｍ・ｈ１ｍ・ｔ１ｍ＋Ｋ２ｍ・ｈ２ｍ・ｔ２ｍ＋Ｋ３ｍ・ｈ３ｍ・ｔ３ｍ）…式（６′）
Ｄｃ＝Ｄｃ０−（Ｋ１ｃ・ｈ１ｃ・ｔ１ｃ＋Ｋ２ｃ・ｈ２ｃ・ｔ２ｃ＋Ｋ３ｃ・ｈ３ｃ・ｔ３ｃ）…式（７′）
Ｄｋ＝Ｄｋ０−（Ｋ１ｋ・ｈ１ｋ・ｔ１ｙ＋Ｋ２ｋ・ｈ２ｋ・ｔ２ｙ＋Ｋ３ｋ・ｈ３ｋ・ｔ３ｙ）…式（８′）
【００７９】
Ｃ６ｃ′：像保持体寿命判別手段
像保持体寿命判別手段Ｃ６ｃ′は、感光体ドラムＰｙ〜Ｐｋが寿命であるか否かを判別する。実施例２の像保持体寿命判別手段Ｃ６ｃ′は、色毎に前記像保持体残膜厚演算手段Ｃ６ｂ１′の式（５′）〜（８′）で演算された感光体ドラムＰｙ〜Ｐｋの残膜厚値Ｄｙ，Ｄｍ，Ｄｃ，Ｄｋの値が、前記像保持体寿命時残膜厚演算手段Ｃ６ｂ２′によって演算された第２機種の感光体Ｐｙ〜Ｐｋの像保持体寿命時残膜厚ｄｙ×ｚ，ｄｍ×ｚ，ｄｃ×ｚ，ｄｋ×ｚの値よりも小さいか否か、すなわちｄｙ×ｚ＞Ｄｙ，ｄｍ×ｚ＞Ｄｍ，ｄｃ×ｚ＞Ｄｃ, ｄｋ×ｚ＞Ｄｋであるか否かを判別することにより、該当する色の感光体ドラムＰｙ〜Ｐｋが寿命であると判別する。
【００８０】
（実施例２のフローチャートの説明）
（第１機種のイエロー（Ｙ）の寿命検知処理のフローチャート）
図９は実施例２の第１機種の像保持体ユニットの寿命検知処理のフローチャートであり、実施例１の前記図５に対応する図である。
次に、実施例２のフローチャートの説明を行うが、実施例１のフローチャートと同様の処理には同一のステップ（ＳＴ）番号を付し、詳細な説明は省略する。なお、実施例２の寿命検知処理では、実施例１の寿命検知処理のＳＴ３が省略されている。
【００８１】
実施例１のＳＴ２に替えて実行される図８のＳＴ２２では、像保持体ユニットＵＹの寿命検知情報記憶手段Ｍｙに記憶されているＡＣ＋ＤＣバイアス重畳印加モード用膜減り係数Ｋ１ｙ、ＤＣバイアス印加モード用膜減り係数Ｋ２ｙおよび帯電バイアス印加停止モード用膜減り係数Ｋ３ｙと、感光体ドラムＰｙの寿命時の残膜厚値ｄｙおよび感光体Ｐｙの初期膜厚値Ｄｙ０を読込み、ＳＴ４に移る。
【００８２】
実施例１のＳＴ５に替えて実行される図８のＳＴ２５では、感光体ドラムＰｙの残膜厚値が寿命時の残膜厚値よりも小さいか否か、すなわち、ｄｙ＞Ｄｙ＝Ｄｙ０−（Ｋ１ｙ・ｔ１ｙ＋Ｋ２ｙ・ｔ２ｙ＋Ｋ３ｙ・ｔ３ｙ）であるか否かを判別する。ノー（Ｎ）の場合はＳＴ６に移り、イエス（Ｙ）の場合はＳＴ９に移る。
実施例１のＳＴ８に替えて実行される図８のＳＴ２８では、感光体Ｐｙ回転中に計測されて帯電バイアス印加モード時間一時記憶手段Ｃ６に記憶されたＡＣ＋ＤＣバイアス重畳印加モード時間ｔ１ｙ、ＤＣバイアス印加モード時間ｔ２ｙおよび帯電バイアス印加停止モード時間ｔ３ｙを像保持体ユニットＵＹ，ＵＭ，ＵＣ，ＵＫの帯電バイアス印加モード時間累積値記憶手段Ｍ４ｙ〜Ｍ４ｋに記憶（更新）し、前記ＳＴ１に戻る。
【００８３】
実施例１のＳＴ１５に替えて実行される図８のＳＴ３５では、交換された像保持体ユニットＵＹ，ＵＭ，ＵＣ，ＵＫからＡＣ＋ＤＣバイアス重畳印加モード用膜減り係数Ｋ１ｙ、ＤＣバイアス印加モード用膜減り係数Ｋ２ｙおよび帯電バイアス印加停止モード用膜減り係数Ｋ３ｙと、感光体ドラムＰｙの寿命時の残膜厚値ｄｙおよび感光体ドラムＰｙの残膜厚値Ｄｙを読み込んで、ＳＴ３６に移る。
実施例１のＳＴ１６に替えて実行される図８のＳＴ３６では、感光体ドラムＰｙの残膜厚値が寿命時の残膜厚値よりも小さいか否か、すなわち、ｄｙ＞Ｄｙ＝Ｄｙ０−（Ｋ１ｙ・ｔ１ｙ＋Ｋ２ｙ・ｔ２ｙ＋Ｋ３ｙ・ｔ３ｙ）であるか否かを判別する。ノー（Ｎ）の場合はＳＴ１７に移り、イエス（Ｙ）の場合は前記ＳＴ１３に戻る。
【００８４】
（第２機種のイエロー（Ｙ）の寿命検知処理のフローチャート）
図１０は実施例２の第２機種の像保持体ユニットの寿命検知処理のフローチャートであり、実施例１の前記図６に対応する図である。
次に図１０のフローチャートにおいて、第２機種のフローチャートの説明を行うが、実施例１の前記図６のフローチャートと同様の処理には、同一のＳＴ番号を付し、詳細な説明は省略する。なお、図１０に示す実施例２の寿命検知処理では、実施例１の寿命検知処理のＳＴ３が省略されている。
【００８５】
実施例１のＳＴ２′に替えて実行される図１０のＳＴ２２′では、次の処理（１）、（２）、（３）を実行し、ＳＴ４に移る。
（１）像保持体ユニットＵＹの寿命検知情報記憶手段Ｍｙに記憶されているＡＣ＋ＤＣバイアス重畳印加モード用膜減り係数Ｋ１ｙ、ＤＣバイアス印加モード用膜減り係数Ｋ２ｙおよび帯電バイアス印加停止モード用膜減り係数Ｋ３ｙと、感光体ドラムＰｙの寿命時の残膜厚値ｄｙとおよび感光体ドラムＰｙの初期膜厚値Ｄｙ０を読み込む。
（２）画像形成動作（ジョブ）で使用するプロセススピードに応じた膜減り補正項ｈ１ｙ〜ｈ３ｙおよび、感光体ドラムＰｙの寿命時の残膜厚値補正項ｚを読み込む。
（３）感光体ドラムＰｙの寿命時の残膜厚値ｄｙに寿命時の残膜厚値補正項ｚを乗算してｄｙ×ｚを演算する。
実施例１のＳＴ５′に替えて実行される図１０のＳＴ２５′では、感光体ドラムＰｙの残膜厚値が寿命時の残膜厚値よりも小さいか否か、すなわち、ｄｙ×ｚ＞Ｄｙ＝Ｄｙ０−（Ｋ１ｙ・ｈ１ｙ・ｔ１ｙ＋Ｋ２ｙ・ｈ２ｙ・ｔ２ｙ＋Ｋ３ｙ・ｈ３ｙ・ｔ３ｙ）であるか否かを判別する。ノー（Ｎ）の場合はＳＴ６に移り、イエス（Ｙ）の場合はＳＴ９に移る。
【００８６】
実施例１のＳＴ８に替えて実行される図１０のＳＴ２８では、感光体Ｐｙ回転中に計測されて帯電バイアス印加モード時間一時記憶手段Ｃ６に記憶されたＡＣ＋ＤＣバイアス重畳印加モード時間ｔ１ｙ、ＤＣバイアス印加モード時間ｔ２ｙおよび帯電バイアス印加停止モード時間ｔ３ｙを像保持体ユニットＵＹ，ＵＭ，ＵＣ，ＵＫの帯電バイアス印加モード時間累積値記憶手段Ｍ４ｙ〜Ｍ４ｋに記憶（更新）し、前記ＳＴ１に戻る。
実施例１のＳＴ１５に替えて実行される図１０のＳＴ３５では、交換された像保持体ユニットＵＹ，ＵＭ，ＵＣ，ＵＫからＡＣ＋ＤＣバイアス重畳印加モード用膜減り係数Ｋ１ｙ、ＤＣバイアス印加モード用膜減り係数Ｋ２ｙおよび帯電バイアス印加停止モード用膜減り係数Ｋ３ｙと、感光体ドラムＰｙの寿命時の残膜厚値ｄｙおよび感光体ドラムＰｙの残膜厚値Ｄｙを読み込んで、ＳＴ３６に移る。
実施例１のＳＴ１６に替えて実行される図１０のＳＴ３６では、感光体ドラムＰｙの残膜厚値が寿命時の残膜厚値よりも小さいか否か、すなわち、ｄｙ×ｚ＞Ｄｙ＝Ｄｙ０−（Ｋ１ｙ・ｔ１ｙ＋Ｋ２ｙ・ｔ２ｙ＋Ｋ３ｙ・ｔ３ｙ）であるか否かを判別する。ノー（Ｎ）の場合はＳＴ１７に移り、イエス（Ｙ）の場合は前記ＳＴ１３に戻る。
【００８７】
（実施例２の作用）
前記構成を備えた実施例２の画像形成装置Ｕ，Ｕ′では、感光体ドラムＰｙ〜Ｐｋの初期膜厚値Ｄｙ０，Ｄｍ０，Ｄｃ０，Ｄｋ０と、帯電バイアス印加モード毎の累積実行時間ｔ１ｙ〜ｔ３ｋ等に基づいて感光体ドラムＰｙ〜Ｐｋの表面の残膜厚値Ｄｙ，Ｄｍ，Ｄｃ，Ｄｋが演算される。実施例２では、前記演算された残膜厚値Ｄｙ，Ｄｍ，Ｄｃ，Ｄｋを寿命時の残膜厚値ｄｙ〜ｄｋまたはｄｙ×ｚ〜ｄｋ×ｚと比較することにより、感光体ドラムＰｙ〜Ｐｋの寿命が検知される。
【実施例３】
【００８８】
（実施例３の制御部の説明）
（第１機種の制御部Ｃの説明）
図１１は本発明の実施例３の第１機種の第１機種の画像形成装置の制御部のブロック線図であり、実施例１の前記図３に対応する図である。
図１１において、実施例３の第１機種Ｕの制御部Ｃは、実施例１の制御部Ｃと同様の制御手段Ｃ１〜Ｃ３〜Ｃ９、ＴＭ１ｙ〜ＴＭ１ｋ、ＦＬ１〜ＦＬ４を有し、機種情報記憶書込手段Ｃ１５が追加されている。
【００８９】
（実施例３の制御部Ｃの機能）
Ｃ１５：機種情報記憶書込手段（寿命判別情報記憶手段）
機種情報記憶書込手段Ｃ１５は、機種情報記憶手段Ｃ１５ａ、機種情報書込時期判別手段Ｃ１５ｂおよび機種情報書込手段Ｃ１５ｃとを有し、第１機種の機種情報を記憶（保存）し、前記機種情報を像保持体ユニットＵＹ，ＵＭ，ＵＣ，ＵＫの寿命検知情報記憶手段Ｍｙ〜Ｍｋに書込む。
Ｃ１５ａ：機種情報記憶手段（寿命判別情報記憶手段）
機種情報記憶手段Ｃ１５ａは、第１機種用膜減り係数Ｋ１ｙ〜Ｋ３ｋおよび第１機種用寿命時残膜厚値ｄｙ〜ｄｋの機種情報を記憶（保存）する。
Ｃ１５ｂ：機種情報書込時期判別手段（寿命判別情報書込時期判別手段）
機種情報書込時期判別手段Ｃ１５ｂは、第１機種情報を像保持体ユニットＵＹ，ＵＭ，ＵＣ，ＵＫに書込む時期になったか否かを判別する。実施例３の機種情報書込時期判別手段Ｃ１５ｂは、画像形成装置Ｕの電源がオフからオンに切り替わったか否か、もしくは、電源オン状態中に像保持体ユニットＵＹ，ＵＭ，ＵＣ，ＵＫが交換されて画像形成装置Ｕに装着されたか否かを判別することにより、機種情報を書込む時期になったか否かを判別する。
Ｃ１５ｃ：機種情報書込手段（寿命判別情報書込手段）
機種情報書込手段Ｃ１５ｃは、前記機種情報書込時期判別手段Ｃ１５ｂにより機種情報を書込む時期になったと判別された場合に、前記機種情報記憶手段Ｃ１５ａに保存されている第１機種用膜減り係数Ｋ１ｙ〜Ｋ３ｋおよび第１機種用寿命時残膜厚値ｄｙ〜ｄｋをそれぞれ、像保持体ユニットＵＹ，ＵＭ，ＵＣ，ＵＫの膜減り係数記憶手段Ｍ１ｙ〜Ｍ１ｋおよび寿命判別残膜厚情報記憶手段Ｍ２ｙ〜Ｍ２ｋに書込む。
【００９０】
（実施例３の第２機種の制御部Ｃ′の説明）
図１２は実施例３の第２機種の画像形成装置の制御部のブロック線図であり、実施例１の前記図４に対応する図である。
次に図１２を使用して実施例３の第２機種Ｕ′の制御部Ｃ′の説明を行うが、実施例１の制御部Ｃ′の制御手段についてのみ説明を行い、実施例１と同様の制御手段については同一の符号を付して詳細な説明を省略する。
図１２において、実施例３の制御部Ｃ′は、実施例１と同様の制御手段Ｃ１〜Ｃ３〜Ｃ１４、ＴＭ１ｙ〜ＴＭ１ｋ、ＦＬ１〜ＦＬ４を有し、機種情報記憶書込手段Ｃ１５′が追加されている。
【００９１】
Ｃ１５′：機種情報記憶書込手段
機種情報記憶書込手段Ｃ１５′は、機種情報記憶手段Ｃ１５ａ′、機種情報書込時期判別手段Ｃ１５ｂ′および機種情報書込手段Ｃ１５ｃ′とを有し、第２機種Ｃ′の機種情報を記憶（保存）し、前記機種情報を像保持体ユニットＵＹ，ＵＭ，ＵＣ，ＵＫの寿命検知情報記憶手段Ｍｙ〜Ｍｋに書込む。
Ｃ１５ａ′：機種情報記憶手段
機種情報記憶手段Ｃ１５ａ′は、第２機種用膜減り係数Ｋ１ｙ′〜Ｋ３ｋ′および第２機種用寿命時残膜厚値ｄｙ′〜ｄｋ′の機種情報を記憶（保存）する。
Ｃ１５ｂ′：機種情報書込時期判別手段
機種情報書込時期判別手段Ｃ１５ｂ′は、第２機種情報を像保持体ユニットＵＹ，ＵＭ，ＵＣ，ＵＫに書込む時期になったか否かを判別する。実施例３の機種情報書込時期判別手段Ｃ１５ｂは、画像形成装置Ｕ′の電源がオフからオンに切り替わったか否か、もしくは、電源オン状態中に像保持体ユニットＵＹ，ＵＭ，ＵＣ，ＵＫが交換されて画像形成装置Ｕ′に装着されたか否かを判別する。
Ｃ１５ｃ′：機種情報書込手段
機種情報書込手段Ｃ１５ｃ′は、前記機種情報書込時期判別手段Ｃ１５ｂ′により機種情報を書込む時期になったと判別された場合に、前記機種情報記憶手段Ｃ１５ａ′に保存されている第２機種用膜減り係数Ｋ１ｙ′〜Ｋ３ｋ′および第２機種用寿命時残膜厚値ｄｙ′〜ｄｋ′をそれぞれ、像保持体ユニットＵＹ，ＵＭ，ＵＣ，ＵＫの膜減り係数記憶手段Ｍ１ｙ〜Ｍ１ｋおよび寿命判別残膜厚情報記憶手段Ｍ２ｙ〜Ｍ２ｋに書込む。
【００９２】
（実施例３のフローチャートの説明）
（第１機種のイエロー（Ｙ）の寿命検知処理のフローチャート）
図１３は実施例３の第１機種の像保持体ユニットの寿命検知処理のフローチャートであり、実施例１の前記図５に対応する図である。
次に、実施例３のフローチャートの説明を行うが、実施例１のフローチャートと同様の処理には同一のステップ（ＳＴ）番号を付し、詳細な説明は省略する。なお、実施例３の寿命検知処理では、前記実施例１のＳＴ１の処理の前にＳＴ４１〜ＳＴ４３の処理が追加されている。
【００９３】
図１３のＳＴ４１において、画像形成装置Ｕの電源オン時か否かを判別する。ノー（Ｎ）の場合はＳＴ４２に移り、イエス（Ｙ）の場合はＳＴ４３に移る。
ＳＴ４２において、像保持体ユニットＵＹ，ＵＭ，ＵＣ，ＵＫが交換されて画像形成装置Ｕに装着されたか否か判別する。ノー（Ｎ）の場合はＳＴ１に移り、イエス（Ｙ）の場合はＳＴ４３に移る。
ＳＴ４３において、像保持体ユニットＵｙの寿命検知情報記憶手段Ｍｙに第１機種用膜減り係数であるＡＣ＋ＤＣバイアス重畳印加モード用膜減り係数Ｋ１ｙ、ＤＣバイアス印加モード用膜減り係数Ｋ２ｙおよび帯電バイアス印加停止モード用膜減り係数Ｋ３ｙと、第１機種用寿命時残膜厚値ｄｙとを書込む。
【００９４】
（第２機種のイエロー（Ｙ）の寿命検知処理のフローチャート）
図１４は実施例３の第２機種の像保持体ユニットの寿命検知処理のフローチャートであり、実施例１の前記図６に対応する図である。
次に、実施例３のフローチャートの説明を行うが、実施例１のフローチャートと同様の処理には同一のステップ（ＳＴ）番号を付し、詳細な説明は省略する。なお、実施例３の寿命検知処理では、前記実施例１のＳＴ１の手前にＳＴ４１′〜ＳＴ４３′の処理が追加されている。
また、実施例３のフローチャートでは、前記実施例１の図６のフローチャートの膜減り係数Ｋ１ｙ〜Ｋ３ｙおよび寿命時残膜厚値ｄｙに替えて、第２機種用膜減り係数Ｋ１ｙ′〜Ｋ３ｙ′および第２機種用寿命時残膜厚値ｄｙ′が使用されている点が異なり、各ステップ（ＳＴ）の処理内容は前記図６と同じため、その詳細な説明は省略する。
【００９５】
図１４のＳＴ４１′，ＳＴ４２′では、図１３のＳＴ４１，ＳＴ４２と同様の処理が実行される。
ＳＴ４３′において、像保持体ユニットＵｙの寿命検知情報記憶手段Ｍｙに第２機種用膜減り係数であるＡＣ＋ＤＣバイアス重畳印加モード用膜減り係数Ｋ１ｙ′、ＤＣバイアス印加モード用膜減り係数Ｋ２ｙ′および帯電バイアス印加停止モード用膜減り係数Ｋ３ｙ′と、第２機種用寿命時残膜厚値ｄｙ′とを書込む。
【００９６】
（実施例３の作用）
前記構成を備えた実施例３の画像形成装置Ｕ，Ｕ′では、画像形成装置Ｕ，Ｕ′の電源オン時や像保持体ユニットＵＹ，ＵＭ，ＵＣ，ＵＫの装着時に、機種毎に固有の情報である膜減り係数Ｋ１ｙ〜Ｋ３ｋ、Ｋ１ｙ′〜Ｋ３ｋ′および寿命時残膜厚値ｄｙ〜ｄｋ，ｄｙ′〜ｄｋ′が像保持体ユニットＵＹ，ＵＭ，ＵＣ，ＵＫの像保持体検知情報記憶手段Ｍｙ〜Ｍｋに書込まれる。
【００９７】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ04）を下記に例示する。
（Ｈ01）本発明は、カラーの画像形成装置Ｕに限定されず、モノクロの画像形成装置にも適用可能である。
（Ｈ02）前記各実施例において、第２機種の画像形成装置Ｕ′は２種類の異なるプロセススピードを有したものを使用したが、これに限定されず、プロセススピードが２種類を上回る場合でも、各プロセススピードに対応する所定の補正項ｈ１ｙ〜ｈ３ｋを設定することで、各プロセススピードに対応した感光体Ｐｙ〜Ｐｋの残膜厚が演算可能であるとともに精度の良い寿命検知が可能である。
（Ｈ03）本発明は、２種類の画像形成装置Ｕ，Ｕ′間において同一の像保持体ユニットＵＹ，ＵＭ，ＵＣ，ＵＫを装着したが、本発明の像保持体ユニットＵＹ，ＵＭ，ＵＣ，ＵＫの寿命検知機能が可能で、同一の像保持体ユニットＵＹ，ＵＭ，ＵＣ，ＵＫを装着可能な機種で有れば、２種類以上の複数機種間において使用可能である。
（Ｈ04）各実施例において感光体ドラムＰｙ〜Ｐｋの寿命時の残膜厚値ｄｙ〜ｄｋ、ｄｙ′〜ｄｋ′、ｄｙ×ｚ〜ｄｋ×ｚ、ｄｙ′×ｚ〜ｄｋ′×ｚよりも初期の残膜厚値に近い値を有する寿命接近警告値を設定して、感光体ドラムＰｙ〜Ｐｋの残膜厚値Ｄｙｍ〜Ｄｋｍ、Ｄｙ〜Ｄｋが前記寿命接近警告値を下回った場合に、ユーザに対して感光体ドラムＰｙ〜Ｐｋの寿命が接近していることを報知する。すなわち、寿命になる前に予め、寿命が接近していることを告知する。
【図面の簡単な説明】
【００９８】
【図１】図１は本発明の実施例１の画像形成装置の全体説明図である。
【図２】図２は像保持体ユニットおよび現像器を有する可視像形成装置の説明図である。
【図３】図３は本発明の実施例１の第１機種の画像形成装置の制御部のブロック線図である。
【図４】図４は本発明の実施例１の第２機種の画像形成装置の制御部のブロック線図であり、前記図３に対応する図である。
【図５】図５は実施例１の第１機種の像保持体ユニットの寿命検知処理のフローチャートである。
【図６】図６は実施例１の第２機種の像保持体ユニットの寿命検知処理のフローチャートであり、前記図５に対応する図である。
【図７】図７は本発明の実施例２の第１機種の画像形成装置の制御部のブロック線図であり、実施例１の前記図３に対応する図である。
【図８】図８は本発明の実施例２の第２機種の画像形成装置の制御部のブロック線図であり、実施例１の前記図４に対応する図である。
【図９】図９は実施例２の第１機種の像保持体ユニットの寿命検知処理のフローチャートであり、実施例１の前記図５に対応する図である。
【図１０】図１０は実施例２の第２機種の像保持体ユニットの寿命検知処理のフローチャートであり、実施例１の前記図６に対応する図である。
【図１１】図１１は本発明の実施例３の第１機種の画像形成装置の制御部のブロック線図であり、実施例１の前記図３に対応する図である。
【図１２】図１２は本発明の実施例３の第２機種の画像形成装置の制御部のブロック線図であり、実施例１の前記図４に対応する図である。
【図１３】図１３は実施例３の第１機種の像保持体ユニットの寿命検知処理のフローチャートであり、実施例１の前記図５に対応する図である。
【図１４】図１４は実施例３の第２機種の像保持体ユニットの寿命検知処理のフローチャートであり、実施例１の前記図６に対応する図である。
【符号の説明】
【００９９】
Ｃ６ｂ，Ｃ６ｂ１′…残膜厚演算手段、
Ｃ６ｃ，Ｃ６ｃ′…寿命判別手段、
Ｃ７…告知手段、
Ｃ１３…補正係数記憶手段、
Ｃ１５ａ…寿命判別情報記憶手段、
Ｃ１５ｂ…寿命判別情報書込時期判別手段、
Ｃ１５ｃ…寿命判別情報書込手段、
ＣＲｙ〜ＣＲｋ…帯電器、
Ｍｙ〜Ｍｋ…記憶部材、
ＴＭ１ｙ，ＴＭ１ｍ，ＴＭ１ｃ，ＴＭ１ｋ…回転時間計測手段、
Ｕ…第１の画像形成装置、
Ｕ′…第２の画像形成装置、
ＵＹ，ＵＭ，ＵＣ，ＵＫ…像保持体。
【図１】
0004826561.tif 000002
【図２】
0004826561.tif 000003
【図３】
0004826561.tif 000004
【図４】
0004826561.tif 000005
【図５】
0004826561.tif 000006
【図６】
0004826561.tif 000007
【図７】
0004826561.tif 000008
【図８】
0004826561.tif 000009
【図９】
0004826561.tif 000010
【図１０】
0004826561.tif 000011
【図１１】
0004826561.tif 000012
【図１２】
0004826561.tif 000013
【図１３】
0004826561.tif 000014
【図１４】
0004826561.tif 000015